【手続補正書】
【提出日】平成17年4月1日(2005.4.1)
【手続補正１】
【補正対象書類名】明細書
【補正対象項目名】全文
【補正方法】変更
【補正の内容】
【書類名】      明細書
【発明の名称】  データ信号抜き取り装置
【特許請求の範囲】
【請求項１】  外部からシリアル伝送された入力映像信号から所定のデータ信号を抜き取るデータ信号抜き取り装置において、
上記入力映像信号を所定の周波数のサンプリングクロックでサンプリングし、ディジタル映像信号に変換するＡ／Ｄ変換手段と、
上記ディジタル映像信号から上記入力映像信号の０または１を判定するためのスライスレベルを算出するスライスレベル算出手段と、
上記ディジタル映像信号を上記スライスレベルを用いて２値化信号に変換する２値化手段と、
上記ディジタル映像信号から上記データ信号を抜き取るための抜き取り間隔値を算出する抜き取り間隔算出手段と、
上記２値化信号の０から１、または１から０に変化する点であるゼロ交差点を検出するゼロ交差点検出手段と、
上記ゼロ交差点に基づいて上記データ信号の位相ずれ量を算出する位相ずれ量算出手段と、
上記位相ずれ量に応じて上記抜き取り間隔値の補正量を算出する補正量算出手段と、
上記補正量に応じて上記抜き取り間隔値の補正を行い、抜き取り間隔補正値を算出する抜き取り間隔補正手段と、
所定の抜き取り位置を起点として、順番に、上記抜き取り間隔補正値に近い間隔を隔てて位置する上記２値化信号内の上記データ信号の位置を算出し、このデータの位置をデータ抜き取り位置として指定する抜き取りパルスを生成する抜き取りパルス発生手段と、
上記抜き取りパルスに基づいて上記２値化信号から上記データ信号を抜き取る抜き取り手段とを備えた、
ことを特徴とするデータ信号抜き取り装置。
【請求項２】  請求項１に記載のデータ信号抜き取り装置において、
上記データ信号は、上記入力映像信号の垂直帰線期間に重畳された文字放送信号である、
ことを特徴とするデータ信号抜き取り装置。
【請求項３】  請求項１に記載のデータ信号抜き取り装置において、
上記抜き取り間隔算出手段は、上記ディジタル映像信号から上記データ信号の伝送クロックと同期合わせを行うための伝送クロック同期合わせ期間を検出し、該検出した伝送クロック同期合わせ期間に、上記伝送クロックの周期に基づいて上記データ信号の抜き取り間隔値を算出する、
ことを特徴とするデータ信号抜き取り装置。
【請求項４】  請求項１に記載のデータ信号抜き取り装置において、
上記位相ずれ量算出手段は、上記ゼロ交差点と上記ゼロ交差点より前に位置する上記抜き取りパルスとの差分をとることによりサンプリングクロック数を算出し、このサンプリングクロック数を位相ずれ量とする、
ことを特徴とするデータ信号抜き取り装置。
【請求項５】  請求項１に記載のデータ信号抜き取り装置において、
上記補正量算出手段は、上記位相ずれ量算出手段より得られる位相ずれ量と、上記抜き取り間隔算出手段より得られる抜き取り間隔値の１／２の値との差分をとることにより上記補正量を算出する、
ことを特徴とするデータ信号抜き取り装置。
【請求項６】  請求項１に記載のデータ信号抜き取り装置において、
上記抜き取り間隔補正手段は、上記抜き取り間隔値に対して、上記補正量を加算あるいは減算することにより上記抜き取り間隔補正値を算出する、
ことを特徴とするデータ信号抜き取り装置。
【請求項７】  請求項１に記載のデータ信号抜き取り装置において、
上記ディジタル映像信号のクロックランインの期間を検出するＣＲＩ検出手段と、
上記クロックランイン期間内の上記入力映像信号のクロックランイン周期を算出し、該算出した周期に基づいて上記入力映像信号の文字放送方式の種別を検出する文字放送方式検出手段とを備え、
上記抜き取り間隔算出手段は、上記検出された文字放送方式の種別に応じて上記抜き取り間隔値を算出する、
ことを特徴とするデータ信号抜き取り装置。
【請求項８】  外部からシリアル伝送された入力映像信号から所定のデータ信号を抜き取るデータ信号抜き取り装置において、
上記入力映像信号を所定の周波数のサンプリングクロックでサンプリングし、ディジタル映像信号に変換するＡ／Ｄ変換手段と、
上記ディジタル映像信号から上記入力映像信号の０または１を判定するためのスライスレベルを算出するスライスレベル算出手段と、
上記ディジタル映像信号を上記スライスレベルを用いて２値化信号に変換する２値化手段と、
上記ディジタル映像信号から上記データ信号を抜き取るための抜き取り間隔値を算出する抜き取り間隔算出手段と、
上記２値化信号の０から１、または１から０に変化する点であるゼロ交差点を検出するゼロ交差点検出手段と、
上記サンプリングクロックの数をカウントするカウンタ手段と、
上記ゼロ交差点の検出に応じて上記カウンタ手段のカウント値を取り込むカウンタ値取り込み手段と、
上記カウンタ値取り込み手段により取り込んだカウンタ値と上記抜き取り間隔値とを用いて信号の位相ずれ量を算出し、該位相ずれ量に応じて上記抜き取り間隔値を補正する演算手段と、
上記演算手段の演算結果と上記カウンタ手段のカウンタ値とを比較する比較手段と、
上記比較手段の出力に基づいて抜き取りパルスを発生する抜き取りパルス発生手段と、
上記抜き取りパルスに基づいて上記２値化信号から上記データ信号を抜き取る抜き取り手段とを備えた、
ことを特徴とするデータ信号抜き取り装置。
【請求項９】  請求項８に記載のデータ信号抜き取り装置において、
上記データ信号は、映像信号の垂直帰線期間に重畳された文字放送信号である、
ことを特徴とするデータ信号抜き取り装置。
【請求項１０】  請求項８に記載のデータ信号抜き取り装置において、
上記抜き取り間隔算出手段は、上記ディジタル映像信号から上記データ信号の伝送クロックと同期合わせを行うための伝送クロック同期合わせ期間を検出し、該検出した伝送クロック同期合わせ期間に、上記伝送クロックの周期に基づいて上記データ信号の抜き取り間隔値を算出する、
ことを特徴とするデータ信号抜き取り装置。
【請求項１１】  請求項８に記載のデータ信号抜き取り装置において、
上記カウンタ手段は、上記抜き取りパルスの入力によりリセットされる、
ことを特徴とするデータ信号抜き取り装置。
【請求項１２】  請求項８に記載のデータ信号抜き取り装置において、
上記演算手段は、上記カウンタ値取り込み手段により取り込んだカウンタ値と上記抜き取り間隔値の１／２の値との差分値を位相ずれ量とし、この位相ずれ量を上記抜き取り間隔値に対し加算もしくは減算することにより抜き取り間隔補正値を算出し、該抜き取り間隔補正値を用いて上記抜き取り間隔値の補正を行う、
ことを特徴とするデータ信号抜き取り装置。
【請求項１３】  請求項８に記載のデータ信号抜き取り装置において、
上記比較手段は、上記カウンタ手段から得られるカウンタ値と上記演算手段から得られる抜き取り間隔補正値とを比較し、上記カウンタ値と上記抜き取り間隔補正値とが一致したとき、比較パルスを発生し、上記抜き取りパルス発生手段に出力する、
ことを特徴とするデータ信号抜き取り装置。
【請求項１４】  請求項８に記載のデータ信号抜き取り装置において、
上記ディジタル映像信号のクロックランインの期間を検出するＣＲＩ検出手段と、
上記クロックランイン期間内の上記入力映像信号のクロックランイン周期を算出し、該算出した周期に基づいて上記入力映像信号の文字放送方式の種別を検出する文字放送方式検出手段とを備え、
上記抜き取り間隔算出手段は、上記検出された文字放送方式の種別に応じて上記抜き取り間隔値を算出する、
ことを特徴とするデータ信号抜き取り装置。
【請求項１５】  外部からシリアル伝送された入力映像信号から所定のデータ信号を抜き取るデータ信号抜き取り装置において、
上記入力映像信号を所定の周波数のサンプリングクロックでサンプリングし、ディジタル映像信号に変換するＡ／Ｄ変換手段と、
上記ディジタル映像信号から上記入力映像信号の０または１を判定するためのスライスレベルを算出するスライスレベル算出手段と、
上記ディジタル映像信号を上記スライスレベルを用いて２値化信号に変換する２値化手段と、
上記２値化信号を格納する格納手段と、
上記ディジタル映像信号から上記データ信号を抜き取るための抜き取り間隔値を算出する抜き取り間隔算出手段と、
上記格納手段に格納されている２値化信号の０から１、また１から０に変化する点であるゼロ交差点のアドレスを検出するゼロ交差点アドレス検出手段と、
上記抜き取り間隔値に応じて上記格納手段に格納されている２値化信号のうちの上記データ信号に相当する抜き取りアドレスを算出するアドレス算出手段と、
上記ゼロ交差点アドレスと上記抜き取り間隔値とを用いて初期アドレスを算出する初期アドレス算出手段と、
上記入力映像信号の位相ずれが起きたときの上記抜き取りアドレスを補正するためのアドレス補正値を算出するアドレス補正値算出手段と、
上記アドレス補正値に基づいて上記アドレス算出手段にて得られた抜き取りアドレスを補正するアドレス補正手段と、を備え、
上記格納手段は、上記アドレス補正手段により補正された抜き取りアドレスに基づいて上記格納しているディジタル映像信号から上記データ信号を抜き出す、
ことを特徴とする文字放送データ信号抜き取り装置。
【請求項１６】  請求項１５に記載のデータ信号抜き取り装置において、
上記データ信号は、上記入力映像信号の垂直帰線期間に重畳された文字放送信号である、
ことを特徴とするデータ信号抜き取り装置。
【請求項１７】  請求項１５に記載のデータ信号抜き取り装置において、
上記抜き取り間隔算出手段は、上記ディジタル映像信号から上記データ信号の伝送クロックと同期合わせを行うための伝送クロック同期合わせ期間を検出し、該検出した伝送クロック同期合わせ期間に、上記伝送クロックの周期に基づいて上記データ信号の抜き取り間隔値を算出する、
ことを特徴とするデータ信号抜き取り装置。
【請求項１８】  請求項１５に記載のデータ信号抜き取り装置において、
上記初期アドレス算出手段は、上記ゼロ交差点アドレスから上記抜き取り間隔値の１／２の値を加算することにより上記初期アドレスを算出する、
ことを特徴とするデータ信号抜き取り装置。
【請求項１９】  請求項１５に記載のデータ信号抜き取り装置において、
上記アドレス補正値算出手段は、上記アドレス算出手段より得られる上記抜き取りアドレスと上記ゼロ交差点アドレスとの差分をとることにより上記アドレス補正値を算出する、
ことを特徴とするデータ信号抜き取り装置。
【請求項２０】  請求項１５に記載のデータ信号抜き取り装置において、
上記アドレス補正手段は、上記アドレス算出手段より得られる上記抜き取りアドレスに対して上記アドレス補正値を加算あるいは減算することにより上記抜き取りアドレスの補正を行う、
ことを特徴とするデータ信号抜き取り装置。
【請求項２１】  請求項１５に記載のデータ信号抜き取り装置において、
上記ディジタル映像信号のクロックランインの期間を検出するＣＲＩ検出手段と、
上記クロックランイン期間の開始アドレスと終了アドレスとを算出するＣＲＩアドレス算出手段と、
上記クロックランイン期間内の上記入力映像信号のクロックランイン周期を算出し、該算出した周期に基づいて上記入力映像信号の文字放送方式の種別を検出する文字放送方式検出手段とを備え、
上記初期アドレス算出手段は、上記ＣＲＩアドレス算出手段の出力に基づいて上記クロックランイン期間内の上記ゼロ交差点の初期アドレスを算出し、
上記抜き取り間隔算出手段は、上記検出された文字放送方式の種別に応じて上記抜き取り間隔値を算出する、
ことを特徴とするデータ信号抜き取り装置。
【請求項２２】  外部からシリアル伝送された入力映像信号から所定のデータ信号を抜き取るデータ信号抜き取り装置において、
上記入力映像信号を所定の周波数のサンプリングクロックでサンプリングし、ディジタル映像信号に変換するＡ／Ｄ変換手段と、
上記ディジタル映像信号のデータ量がα倍（αは整数）となるよう補間することにより補間データを作成する補間手段と、
上記ディジタル映像信号から上記入力映像信号の０または１を判定するためのスライスレベルを算出するスライスレベル算出手段と、
上記ディジタル映像信号及び上記補間データを上記スライスレベルを用いて２値化信号に変換する２値化手段と、
上記ディジタル映像信号から上記データ信号を抜き取るための抜き取り間隔値を算出する抜き取り間隔算出手段と、
上記ディジタル映像信号の２値化信号及び上記補間データの２値化信号の、０から１、または１から０に変化する点であるゼロ交差点を検出するゼロ交差点検出手段と、
上記ゼロ交差点に基づいて上記データ信号の位相ずれ量を算出する位相ずれ量算出手段と、
上記位相ずれ量に応じて上記抜き取り間隔値の補正量を算出する補正量算出手段と、
上記補正量に応じて上記抜き取り間隔値の補正を行い、抜き取り間隔補正値を算出する抜き取り間隔補正手段と、
所定の抜き取り位置を起点として、順番に、上記抜き取り間隔補正値に近い間隔を隔てて位置する上記ディジタル映像信号の２値化信号及び上記補間データの２値化信号内の上記データ信号の位置を算出し、このデータの位置をデータ抜き取り位置として指定する抜き取りパルスを生成する抜き取りパルス発生手段と、
上記抜き取り間隔補正値に基づいて上記ディジタル映像信号の２値化信号、または上記補間データの２値化信号、のいずれかを選択するためのデータ選択パルスを生成するデータ選択パルス発生手段と、
上記データ選択パルスに基づいて上記２値化信号のいずれかを選択するデータ選択手段と、
上記抜き取りパルスに基づいて上記データ選択手段により選択された２値化信号から上記データ信号を抜き取る抜き取り手段とを備えた、
ことを特徴とするデータ信号抜き取り装置。
【請求項２３】  請求項２２に記載のデータ信号抜き取り装置において、
上記データ信号は、上記入力映像信号の垂直帰線期間に重畳された文字放送信号である、
ことを特徴とするデータ信号抜き取り装置。
【請求項２４】  請求項２２に記載のデータ信号抜き取り装置において、
上記抜き取り間隔算出手段は、上記ディジタル映像信号から上記データ信号の伝送クロックと同期合わせを行うための伝送クロック同期合わせ期間を検出し、該検出した伝送クロック同期合わせ期間に、上記伝送クロックの周期に基づいて上記データ信号の抜き取り間隔値を算出する、
ことを特徴とするデータ信号抜き取り装置。
【請求項２５】  請求項２２に記載のデータ信号抜き取り装置において、
上記位相ずれ量算出手段は、上記ゼロ交差点と上記ゼロ交差点より前に位置する上記抜き取りパルスとの差分をとることによりサンプリングクロック数を算出し、このサンプリングクロック数をα倍したものを上記位相ずれ量とする、
ことを特徴とするデータ信号抜き取り装置。
【請求項２６】  請求項２２に記載のデータ信号抜き取り装置において、
上記補正量算出手段は、上記位相ずれ量算出手段より得られる位相ずれ量と、上記抜き取り間隔算出手段より得られる抜き取り間隔値の１／２の値との差分をとることにより上記補正量を算出する、
ことを特徴とするデータ信号抜き取り装置。
【請求項２７】  請求項２２に記載のデータ信号抜き取り装置において、
上記抜き取り間隔補正手段は、上記抜き取り間隔値に対して、上記補正量を加算もしくは減算することにより上記抜き取り間隔補正値を求める、
ことを特徴とするデータ信号抜き取り装置。
【請求項２８】  請求項２２に記載のデータ信号抜き取り装置において、
上記ディジタル映像信号のクロックランインの期間を検出するＣＲＩ検出手段と、
上記クロックランイン期間内の上記入力映像信号のクロックランイン周期を算出し、該算出した周期に基づいて上記入力映像信号の文字放送方式の種別を検出する文字放送方式検出手段とを備え、
上記抜き取り間隔算出手段は、上記検出された文字放送方式の種別に応じて上記抜き取り間隔値を算出する、
ことを特徴とするデータ信号抜き取り装置。
【請求項２９】  外部からシリアル伝送された入力映像信号から所定のデータ信号を抜き取るデータ信号抜き取り装置において、
上記入力映像信号を所定の周波数のサンプリングクロックでサンプリングし、ディジタル映像信号に変換するＡ／Ｄ変換手段と、
上記ディジタル映像信号から上記入力映像信号の０または１を判定するためのスライスレベルを算出するスライスレベル算出手段と、
上記ディジタル映像信号を上記スライスレベルを用いて２値化信号に変換する２値化手段と、
上記ディジタル映像信号から上記データ信号を抜き取るための抜き取り間隔値を算出する抜き取り間隔算出手段と、
上記ディジタル映像信号と上記スライスレベルとを用いて、上記ディジタル映像信号が上記スライスレベルで交わるゼロ交差点位置を検出するゼロ交差点位置検出手段と、
上記ゼロ交差点位置に基づいて上記データ信号の位相ずれ量を算出する位相ずれ量算出手段と、
上記位相ずれ量に応じて上記抜き取り間隔値の補正量を算出する補正量算出手段と、
上記補正量に応じて上記抜き取り間隔値の補正を行い、抜き取り間隔補正値を算出する抜き取り間隔補正手段と、
所定の抜き取り位置を起点として、順番に、上記抜き取り間隔補正値に近い間隔を隔てて位置する上記２値化信号内の上記データ信号の位置を算出し、このデータの位置をデータ抜き取り位置として指定する抜き取りパルスを生成する抜き取りパルス発生手段と、
上記抜き取りパルスに基づいて上記２値化信号から上記データ信号を抜き取る抜き取り手段とを備えた、
ことを特徴とするデータ信号抜き取り装置。
【請求項３０】  請求項２９に記載のデータ信号抜き取り装置において、
上記データ信号は、上記入力映像信号の垂直帰線期間に重畳された文字放送信号である、
ことを特徴とするデータ信号抜き取り装置。
【請求項３１】  請求項２９に記載のデータ信号抜き取り装置において、
上記抜き取り間隔算出手段は、上記ディジタル映像信号から上記データ信号の伝送クロックと同期合わせを行うための伝送クロック同期合わせ期間を検出し、該検出した伝送クロック同期合わせ期間に、上記伝送クロックの周期に基づいて上記データ信号の抜き取り間隔値を算出する、
ことを特徴とするデータ信号抜き取り装置。
【請求項３２】  請求項２９に記載のデータ信号抜き取り装置において、
上記位相ずれ量算出手段は、上記ゼロ交差点位置と上記ゼロ交差点位置より前に位置する上記抜き取りパルスとの差分をとることによりサンプリングクロック数を算出し、該算出したサンプリングクロック数を位相ずれ量とする、
ことを特徴とするデータ信号抜き取り装置。
【請求項３３】  請求項２９に記載のデータ信号抜き取り装置において、
上記補正量算出手段は、上記位相ずれ量算出手段より得られる位相ずれ量と、上記抜き取り間隔算出手段より得られる抜き取り間隔値の１／２の値との差分をとることにより上記補正量を算出する、
ことを特徴とするデータ信号抜き取り装置。
【請求項３４】  請求項２９に記載のデータ信号抜き取り装置において、
上記抜き取り間隔補正手段は、上記抜き取り間隔値に対して、上記補正量を加算あるいは減算することにより上記抜き取り間隔補正値を算出する、
ことを特徴とするデータ信号抜き取り装置。
【請求項３５】  請求項２９に記載のデータ信号抜き取り装置において、
上記ディジタル映像信号のクロックランインの期間を検出するＣＲＩ検出手段と、
上記クロックランイン期間内の上記入力映像信号のクロックランイン周期を算出し、該算出した周期に基づいて上記入力映像信号の文字放送方式の種別を検出する文字放送方式検出手段とを備え、
上記抜き取り間隔算出手段は、上記検出された文字放送方式の種別に応じて上記抜き取り間隔値を算出する、
ことを特徴とするデータ信号抜き取り装置。
【発明の詳細な説明】
【０００１】
【発明の属する技術分野】
本発明は、シリアル伝送された信号から所定のデータを抜き取るデータ信号抜き取り装置に関し、特に、映像信号の垂直帰線期間を利用して伝送されている文字放送の文字データを抜き取る文字放送データ抜き取り装置に関するものである。
【０００２】
【従来の技術】
シリアル伝送を用いてデータ伝送する方式としては、映像信号の垂直帰線期間を利用して文字放送のデータを伝送する文字放送方式が有名である。
全世界の各地域において、映像信号の垂直帰線期間に重畳された文字放送のデータが伝送されている。図１４に各地域ごとの文字放送の種別、文字放送データが重畳されている重畳ライン、及び伝送クロックの関係を表として示す。
【０００３】
このような文字放送データが重畳された映像信号から該文字放送データを抜き取るために、従来では、図１３に示すような文字放送データ抜き取り装置を用いていた。以下に、図１３を参照しながら、従来の文字放送データ抜き取り装置について説明する。
図１３において、１３０１は映像信号入力端子であり、垂直帰線期間に文字放送データが重畳されたアナログ映像信号Ｓ１３０１を入力する。１３０２はＡ／Ｄ変換器であり、アナログ映像信号Ｓ１３０１をディジタル映像信号Ｓ１３０２に変換する。１３０３はローパスフィルタ（ＬＰＦ）であり、ディジタル映像信号Ｓ１３０２に対しノイズ除去処理を行う。１３０４は同期分離回路であり、ディジタル映像信号Ｓ１３０２から水平同期信号Ｓ１３０４ａ及び垂直同期信号Ｓ１３０４ｂを分離する。１３０５はスライスレベル算出回路であり、水平同期信号Ｓ１３０４ａおよび垂直同期信号Ｓ１３０４ｂに基づいて上記ノイズ除去された信号Ｓ１３０３の最適なスライスレベルＳ１３０５を算出する。１３０６は２値化回路であり、上記ノイズ除去された信号Ｓ１３０３をスイライスレベルＳ１３０５で２値化信号Ｓ１３０６に変換する。１３０７はＰＬＬ回路であり、クロックランイン（ＣＲＩ）に同期した抜き取りクロックＳ１３０７を発生する。１３０８はコントローラであり、ＰＬＬ回路１３０７を制御する。１３０９は抜き取り回路であり、抜き取りクロックＳ１３０７に基づいて、２値化信号Ｓ１３０６から文字放送データＳ１３０９を抜き取る。１３１０はデコード回路であり、文字放送データＳ１３０９に対しデコード処理を行う。１３１１は出力端子であり、デコード処理された信号Ｓ１３１０を出力する。
【０００４】
以上のように構成された、従来の文字放送抜き取り装置の動作について説明する。
垂直帰線期間に文字放送データが重畳されたアナログ映像信号Ｓ１３０１が映像信号入力端子１３０１を介して入力されると、該アナログ映像信号Ｓ１３０１は、Ａ／Ｄ変換器１３０２で、サンプリングクロックｆｓ（ＭＨｚ）によってサンプリングされてディジタル映像信号Ｓ１３０２に変換される。該変換されたディジタル映像信号Ｓ１３０２は、ＬＰＦ１３０３と同期分離回路１３０４へ出力される。
ＬＰＦ１３０３に入力されたディジタル映像信号Ｓ１３０２は、ノイズ除去処理が施され、２値化回路１３０６に出力される。
【０００５】
一方、同期分離回路１３０４に入力されたディジタル映像信号Ｓ１３０２から、水平同期信号（ＨＳＹＮＣ）Ｓ１３０４ａ及び垂直同期信号（ＶＳＹＮＣ）Ｓ１３０４ｂが分離され、スライスレベル算出回路１３０５に出力される。そして、スライスレベル算出回路１３０５では、入力された水平同期信号Ｓ１３０４ａ及び垂直同期信号Ｓ１３０４ｂに基づいて、ノイズ除去されたディジタル映像信号Ｓ１３０３の所定のライン及び所定の位置の文字放送データから最適なスライスレベルＳ１３０５が算出され、２値化回路１３０６に出力される。
２値化回路１３０６では、ＬＰＦ１３０３の出力信号Ｓ１３０３が、スライスレベル算出回路１３０５で算出されたスライスレベルＳ１３０５でそれぞれ、０と１の２値化信号に変換される。
【０００６】
ＰＬＬ回路１３０７では、垂直帰線期間内の、文字放送信号と抜き取りクロックとの同期合わせを行うためのＣＲＩという期間において、伝送クロックの周期と同じ周期である抜き取りクロックの同期合わせが行われ、ＣＲＩに同期した抜き取りクロックＳ１３０７が発生する。抜き取り回路１３０９では、抜き取りクロックＳ１３０７を用いて、２値化信号Ｓ１３０６から文字放送データＳ１３０９が抜き取られ、デコード回路１３１０により、文字放送の種別に応じたエラー訂正等のデコード処理がなされる。そして、デコード回路１３１０でデコード処理されたデータＳ１３１０は、出力端子１３１１を介して表示回路（図示せず）に出力され、文字放送の種別に応じた表示が行われる。
【０００７】
【発明が解決しようとする課題】
しかしながら、上記従来の文字放送抜き取り装置では、ＰＬＬ回路１３０７にて発生したＣＲＩに同期した抜き取りクロックＳ１３０７を用いて文字放送データの抜き取りを行うとき、群遅延等でライン途中で信号に位相ずれが生じると、文字データに位相ずれが起こり、抜き取りのエラーを発生するという問題があった。
また、このような群遅延を抑制するためには、多タップのフィルタ、すなわち、高次の波形等化をするためのフィルタが必要となるが、このようなフィルタは回路規模が大きいため、装置全体の回路規模が大きくなるという問題があった。
そこで、本発明は、上記問題点を解消するためになされたものであり、文字放送信号のラインの途中で位相ずれが発生した場合でも、文字放送信号の抜き取りエラーを発生することのないデータ信号抜き取り装置を提供することを目的とする。
【０００８】
【課題を解決するための手段】
上記課題を解決するために、本発明の請求項１に係るデータ信号抜き取り装置は、外部からシリアル伝送された入力映像信号から所定のデータ信号を抜き取るデータ信号抜き取り装置において、上記入力映像信号を所定の周波数のサンプリングクロックでサンプリングし、ディジタル映像信号に変換するＡ／Ｄ変換手段と、上記ディジタル映像信号から上記入力映像信号の０または１を判定するためのスライスレベルを算出するスライスレベル算出手段と、上記ディジタル映像信号を上記スライスレベルを用いて２値化信号に変換する２値化手段と、上記ディジタル映像信号から上記データ信号を抜き取るための抜き取り間隔値を算出する抜き取り間隔算出手段と、上記２値化信号の０から１、または１から０に変化する点であるゼロ交差点を検出するゼロ交差点検出手段と、上記ゼロ交差点に基づいて上記データ信号の位相ずれ量を算出する位相ずれ量算出手段と、上記位相ずれ量に応じて上記抜き取り間隔値の補正量を算出する補正量算出手段と、上記補正量に応じて上記抜き取り間隔値の補正を行い、抜き取り間隔補正値を算出する抜き取り間隔補正手段と、所定の抜き取り位置を起点として、順番に、上記抜き取り間隔補正値に近い間隔を隔てて位置する上記２値化信号内の上記データ信号の位置を算出し、このデータの位置をデータ抜き取り位置として指定する抜き取りパルスを生成する抜き取りパルス発生手段と、上記抜き取りパルスに基づいて上記２値化信号から上記データ信号を抜き取る抜き取り手段とを備えたことを特徴とするものである。
【０００９】
また、本発明の請求項２に係るデータ信号抜き取り装置は、請求項１に記載のデータ信号抜き取り装置において、上記データ信号は、上記入力映像信号の垂直帰線期間に重畳された文字放送信号であることを特徴とするものである。
【００１０】
また、本発明の請求項３に係るデータ信号抜き取り装置は、請求項１に記載のデータ信号抜き取り装置において、上記抜き取り間隔算出手段は、上記ディジタル映像信号から上記データ信号の伝送クロックと同期合わせを行うための伝送クロック同期合わせ期間を検出し、該検出した伝送クロック同期合わせ期間に、上記伝送クロックの周期に基づいて上記データ信号の抜き取り間隔値を算出することを特徴とするものである。
【００１１】
また、本発明の請求項４に係るデータ信号抜き取り装置は、請求項１に記載のデータ信号抜き取り装置において、上記位相ずれ量算出手段は、上記ゼロ交差点と上記ゼロ交差点より前に位置する上記抜き取りパルスとの差分をとることによりサンプリングクロック数を算出し、このサンプリングクロック数を位相ずれ量とすることを特徴とするものである。
【００１２】
また、本発明の請求項５に係るデータ信号抜き取り装置は、請求項１に記載のデータ信号抜き取り装置において、上記補正量算出手段は、上記位相ずれ量算出手段より得られる位相ずれ量と、上記抜き取り間隔算出手段より得られる抜き取り間隔値の１／２の値との差分をとることにより上記補正量を算出することを特徴とするものである。
【００１３】
また、本発明の請求項６に係るデータ信号抜き取り装置は、請求項１に記載のデータ信号抜き取り装置において、上記抜き取り間隔補正手段は、上記抜き取り間隔値に対して、上記補正量を加算あるいは減算することにより上記抜き取り間隔補正値を算出することを特徴とするものである。
【００１４】
また、本発明の請求項７に係るデータ信号抜き取り装置は、請求項１に記載のデータ信号抜き取り装置において、上記ディジタル映像信号のクロックランインの期間を検出するＣＲＩ検出手段と、上記クロックランイン期間内の上記入力映像信号のクロックランイン周期を算出し、該算出した周期に基づいて上記入力映像信号の文字放送方式の種別を検出する文字放送方式検出手段とを備え、上記抜き取り間隔算出手段は、上記検出された文字放送方式の種別に応じて上記抜き取り間隔値を算出することを特徴とするものである。
【００１５】
また、本発明の請求項８に係るデータ信号抜き取り装置は、外部からシリアル伝送された入力映像信号から所定のデータ信号を抜き取るデータ信号抜き取り装置において、上記入力映像信号を所定の周波数のサンプリングクロックでサンプリングし、ディジタル映像信号に変換するＡ／Ｄ変換手段と、上記ディジタル映像信号から上記入力映像信号の０または１を判定するためのスライスレベルを算出するスライスレベル算出手段と、上記ディジタル映像信号を上記スライスレベルを用いて２値化信号に変換する２値化手段と、上記ディジタル映像信号から上記データ信号を抜き取るための抜き取り間隔値を算出する抜き取り間隔算出手段と、上記２値化信号の０から１、または１から０に変化する点であるゼロ交差点を検出するゼロ交差点検出手段と、上記サンプリングクロックの数をカウントするカウンタ手段と、上記ゼロ交差点の検出に応じて上記カウンタ手段のカウント値を取り込むカウンタ値取り込み手段と、上記カウンタ値取り込み手段により取り込んだカウンタ値と上記抜き取り間隔値とを用いて信号の位相ずれ量を算出し、該位相ずれ量に応じて上記抜き取り間隔値を補正する演算手段と、上記演算手段の演算結果と上記カウンタ手段のカウンタ値とを比較する比較手段と、上記比較手段の出力に基づいて抜き取りパルスを発生する抜き取りパルス発生手段と、上記抜き取りパルスに基づいて上記２値化信号から上記データ信号を抜き取る抜き取り手段とを備えたことを特徴とするものである。
【００１６】
また、本発明の請求項９に係るデータ信号抜き取り装置は、請求項８に記載のデータ信号抜き取り装置において、上記データ信号は、映像信号の垂直帰線期間に重畳された文字放送信号であることを特徴とするものである。
【００１７】
また、本発明の請求項１０に係るデータ信号抜き取り装置は、請求項８に記載のデータ信号抜き取り装置において、上記抜き取り間隔算出手段は、上記ディジタル映像信号から上記データ信号の伝送クロックと同期合わせを行うための伝送クロック同期合わせ期間を検出し、該検出した伝送クロック同期合わせ期間に、上記伝送クロックの周期に基づいて上記データ信号の抜き取り間隔値を算出することを特徴とするものである。
【００１８】
また、本発明の請求項１１に係るデータ信号抜き取り装置は、請求項８に記載のデータ信号抜き取り装置において、上記カウンタ手段は、上記抜き取りパルスの入力によりリセットされることを特徴とするものである。
【００１９】
また、本発明の請求項１２に係るデータ信号抜き取り装置は、請求項８に記載のデータ信号抜き取り装置において、上記演算手段は、上記カウンタ値取り込み手段により取り込んだカウンタ値と上記抜き取り間隔値の１／２の値との差分値を位相ずれ量とし、この位相ずれ量を上記抜き取り間隔値に対し加算もしくは減算することにより抜き取り間隔補正値を算出し、該抜き取り間隔補正値を用いて上記抜き取り間隔値の補正を行うことを特徴とするものである。
【００２０】
また、本発明の請求項１３に係るデータ信号抜き取り装置は、請求項８に記載のデータ信号抜き取り装置において、上記比較手段は、上記カウンタ手段から得られるカウンタ値と上記演算手段から得られる抜き取り間隔補正値とを比較し、上記カウンタ値と上記抜き取り間隔補正値とが一致したとき、比較パルスを発生し、上記抜き取りパルス発生手段に出力する、ことを特徴とするものである。
【００２１】
また、本発明の請求項１４に係るデータ信号抜き取り装置は、請求項８に記載のデータ信号抜き取り装置において、上記ディジタル映像信号のクロックランインの期間を検出するＣＲＩ検出手段と、上記クロックランイン期間内の上記入力映像信号のクロックランイン周期を算出し、該算出した周期に基づいて上記入力映像信号の文字放送方式の種別を検出する文字放送方式検出手段とを備え、上記抜き取り間隔算出手段は、上記検出された文字放送方式の種別に応じて上記抜き取り間隔値を算出することを特徴とするものである。
【００２２】
また、本発明の請求項１５に係るデータ信号抜き取り装置は、外部からシリアル伝送された入力映像信号から所定のデータ信号を抜き取るデータ信号抜き取り装置において、上記入力映像信号を所定の周波数のサンプリングクロックでサンプリングし、ディジタル映像信号に変換するＡ／Ｄ変換手段と、上記ディジタル映像信号から上記入力映像信号の０または１を判定するためのスライスレベルを算出するスライスレベル算出手段と、上記ディジタル映像信号を上記スライスレベルを用いて２値化信号に変換する２値化手段と、上記２値化信号を格納する格納手段と、上記ディジタル映像信号から上記データ信号を抜き取るための抜き取り間隔値を算出する抜き取り間隔算出手段と、上記格納手段に格納されている２値化信号の０から１、また１から０に変化する点であるゼロ交差点のアドレスを検出するゼロ交差点アドレス検出手段と、上記抜き取り間隔値に応じて上記格納手段に格納されている２値化信号のうちの上記データ信号に相当する抜き取りアドレスを算出するアドレス算出手段と、上記ゼロ交差点アドレスと上記抜き取り間隔値とを用いて初期アドレスを算出する初期アドレス算出手段と、上記入力映像信号の位相ずれが起きたときの上記抜き取りアドレスを補正するためのアドレス補正値を算出するアドレス補正値算出手段と、上記アドレス補正値に基づいて上記アドレス算出手段にて得られた抜き取りアドレスを補正するアドレス補正手段と、を備え、上記格納手段は、上記アドレス補正手段により補正された抜き取りアドレスに基づいて上記格納しているディジタル映像信号から上記データ信号を抜き出すことを特徴とするものである。
【００２３】
また、本発明の請求項１６に係るデータ信号抜き取り装置は、請求項１５に記載のデータ信号抜き取り装置において、上記データ信号は、上記入力映像信号の垂直帰線期間に重畳された文字放送信号であることを特徴とするものである。
【００２４】
また、本発明の請求項１７に係るデータ信号抜き取り装置は、請求項１５に記載のデータ信号抜き取り装置において、上記抜き取り間隔算出手段は、上記ディジタル映像信号から上記データ信号の伝送クロックと同期合わせを行うための伝送クロック同期合わせ期間を検出し、該検出した伝送クロック同期合わせ期間に、上記伝送クロックの周期に基づいて上記データ信号の抜き取り間隔値を算出することを特徴とするものである。
【００２５】
また、本発明の請求項１８に係るデータ信号抜き取り装置は、請求項１５に記載のデータ信号抜き取り装置において、上記初期アドレス算出手段は、上記ゼロ交差点アドレスから上記抜き取り間隔値の１／２の値を加算することにより上記初期アドレスを算出することを特徴とするものである。
【００２６】
また、本発明の請求項１９に係るデータ信号抜き取り装置は、請求項１５に記載のデータ信号抜き取り装置において、上記アドレス補正値算出手段は、上記アドレス算出手段より得られる上記抜き取りアドレスと上記ゼロ交差点アドレスとの差分をとることにより上記アドレス補正値を算出することを特徴とするものである。
【００２７】
また、本発明の請求項２０に係るデータ信号抜き取り装置は、請求項１５に記載のデータ信号抜き取り装置において、上記アドレス補正手段は、上記アドレス算出手段より得られる上記抜き取りアドレスに対して上記アドレス補正値を加算あるいは減算することにより上記抜き取りアドレスの補正を行うことを特徴とするものである。
【００２８】
また、本発明の請求項２１に係るデータ信号抜き取り装置は、請求項１５に記載のデータ信号抜き取り装置において、上記ディジタル映像信号のクロックランインの期間を検出するＣＲＩ検出手段と、上記クロックランイン期間の開始アドレスと終了アドレスとを算出するＣＲＩアドレス算出手段と、上記クロックランイン期間内の上記入力映像信号のクロックランイン周期を算出し、該算出した周期に基づいて上記入力映像信号の文字放送方式の種別を検出する文字放送方式検出手段とを備え、上記初期アドレス算出手段は、上記ＣＲＩアドレス算出手段の出力に基づいて上記クロックランイン期間内の上記ゼロ交差点の初期アドレスを算出し、上記抜き取り間隔算出手段は、上記検出された文字放送方式の種別に応じて上記抜き取り間隔値を算出することを特徴とするものである。
【００２９】
また、本発明の請求項２２に係るデータ信号抜き取り装置は、外部からシリアル伝送された入力映像信号から所定のデータ信号を抜き取るデータ信号抜き取り装置において、上記入力映像信号を所定の周波数のサンプリングクロックでサンプリングし、ディジタル映像信号に変換するＡ／Ｄ変換手段と、上記ディジタル映像信号のデータ量がα倍（αは整数）となるよう補間することにより補間データを作成する補間手段と、上記ディジタル映像信号から上記入力映像信号の０または１を判定するためのスライスレベルを算出するスライスレベル算出手段と、上記ディジタル映像信号及び上記補間データを上記スライスレベルを用いて２値化信号に変換する２値化手段と、上記ディジタル映像信号から上記データ信号を抜き取るための抜き取り間隔値を算出する抜き取り間隔算出手段と、上記ディジタル映像信号の２値化信号及び上記補間データの２値化信号の、０から１、または１から０に変化する点であるゼロ交差点を検出するゼロ交差点検出手段と、上記ゼロ交差点に基づいて上記データ信号の位相ずれ量を算出する位相ずれ量算出手段と、上記位相ずれ量に応じて上記抜き取り間隔値の補正量を算出する補正量算出手段と、上記補正量に応じて上記抜き取り間隔値の補正を行い、抜き取り間隔補正値を算出する抜き取り間隔補正手段と、所定の抜き取り位置を起点として、順番に、上記抜き取り間隔補正値に近い間隔を隔てて位置する上記ディジタル映像信号の２値化信号及び上記補間データの２値化信号内の上記データ信号の位置を算出し、このデータの位置をデータ抜き取り位置として指定する抜き取りパルスを生成する抜き取りパルス発生手段と、上記抜き取り間隔補正値に基づいて上記ディジタル映像信号の２値化信号、または上記補間データの２値化信号、のいずれかを選択するためのデータ選択パルスを生成するデータ選択パルス発生手段と、上記データ選択パルスに基づいて上記２値化信号のいずれかを選択するデータ選択手段と、上記抜き取りパルスに基づいて上記データ選択手段により選択された２値化信号から上記データ信号を抜き取る抜き取り手段とを備えたことを特徴とするものである。
【００３０】
また、本発明の請求項２３に係るデータ信号抜き取り装置は、請求項２２に記載のデータ信号抜き取り装置において、上記データ信号は、上記入力映像信号の垂直帰線期間に重畳された文字放送信号であることを特徴とするものである。
【００３１】
また、本発明の請求項２４に係るデータ信号抜き取り装置は、請求項２２に記載のデータ信号抜き取り装置において、上記抜き取り間隔算出手段は、上記ディジタル映像信号から上記データ信号の伝送クロックと同期合わせを行うための伝送クロック同期合わせ期間を検出し、該検出した伝送クロック同期合わせ期間に、上記伝送クロックの周期に基づいて上記データ信号の抜き取り間隔値を算出することを特徴とするものである。
【００３２】
また、本発明の請求項２５に係るデータ信号抜き取り装置は、請求項２２に記載のデータ信号抜き取り装置において、上記位相ずれ量算出手段は、上記ゼロ交差点と上記ゼロ交差点より前に位置する上記抜き取りパルスとの差分をとることによりサンプリングクロック数を算出し、このサンプリングクロック数をα倍したものを上記位相ずれ量とすることを特徴とするものである。
【００３３】
また、本発明の請求項２６に係るデータ信号抜き取り装置は、請求項２２に記載のデータ信号抜き取り装置において、上記補正量算出手段は、上記位相ずれ量算出手段より得られる位相ずれ量と、上記抜き取り間隔算出手段より得られる抜き取り間隔値の１／２の値との差分をとることにより上記補正量を算出することを特徴とするものである。
【００３４】
また、本発明の請求項２７に係るデータ信号抜き取り装置は、請求項２２に記載のデータ信号抜き取り装置において、上記抜き取り間隔補正手段は、上記抜き取り間隔値に対して、上記補正量を加算もしくは減算することにより上記抜き取り間隔補正値を求めることを特徴とするものである。
【００３５】
また、本発明の請求項２８に係るデータ信号抜き取り装置は、請求項２２に記載のデータ信号抜き取り装置において、上記ディジタル映像信号のクロックランインの期間を検出するＣＲＩ検出手段と、上記クロックランイン期間内の上記入力映像信号のクロックランイン周期を算出し、該算出した周期に基づいて上記入力映像信号の文字放送方式の種別を検出する文字放送方式検出手段とを備え、上記抜き取り間隔算出手段は、上記検出された文字放送方式の種別に応じて上記抜き取り間隔値を算出することを特徴とするものである。
【００３６】
また、本発明の請求項２９に係るデータ信号抜き取り装置は、外部からシリアル伝送された入力映像信号から所定のデータ信号を抜き取るデータ信号抜き取り装置において、上記入力映像信号を所定の周波数のサンプリングクロックでサンプリングし、ディジタル映像信号に変換するＡ／Ｄ変換手段と、上記ディジタル映像信号から上記入力映像信号の０または１を判定するためのスライスレベルを算出するスライスレベル算出手段と、上記ディジタル映像信号を上記スライスレベルを用いて２値化信号に変換する２値化手段と、上記ディジタル映像信号から上記データ信号を抜き取るための抜き取り間隔値を算出する抜き取り間隔算出手段と、上記ディジタル映像信号と上記スライスレベルとを用いて、上記ディジタル映像信号が上記スライスレベルで交わるゼロ交差点位置を検出するゼロ交差点位置検出手段と、上記ゼロ交差点位置に基づいて上記データ信号の位相ずれ量を算出する位相ずれ量算出手段と、上記位相ずれ量に応じて上記抜き取り間隔値の補正量を算出する補正量算出手段と、上記補正量に応じて上記抜き取り間隔値の補正を行い、抜き取り間隔補正値を算出する抜き取り間隔補正手段と、所定の抜き取り位置を起点として、順番に、上記抜き取り間隔補正値に近い間隔を隔てて位置する上記２値化信号内の上記データ信号の位置を算出し、このデータの位置をデータ抜き取り位置として指定する抜き取りパルスを生成する抜き取りパルス発生手段と、上記抜き取りパルスに基づいて上記２値化信号から上記データ信号を抜き取る抜き取り手段とを備えたことを特徴とするものである。
【００３７】
また、本発明の請求項３０に係るデータ信号抜き取り装置は、請求項２９に記載のデータ信号抜き取り装置において、上記データ信号は、上記入力映像信号の垂直帰線期間に重畳された文字放送信号であることを特徴とするものである。
【００３８】
また、本発明の請求項３１に係るデータ信号抜き取り装置は、請求項２９に記載のデータ信号抜き取り装置において、上記抜き取り間隔算出手段は、上記ディジタル映像信号から上記データ信号の伝送クロックと同期合わせを行うための伝送クロック同期合わせ期間を検出し、該検出した伝送クロック同期合わせ期間に、上記伝送クロックの周期に基づいて上記データ信号の抜き取り間隔値を算出することを特徴とするものである。
【００３９】
また、本発明の請求項３２に係るデータ信号抜き取り装置は、請求項２９に記載のデータ信号抜き取り装置において、上記位相ずれ量算出手段は、上記ゼロ交差点位置と上記ゼロ交差点位置より前に位置する上記抜き取りパルスとの差分をとることによりサンプリングクロック数を算出し、該算出したサンプリングクロック数を位相ずれ量とすることを特徴とするものである。
【００４０】
また、本発明の請求項３３に係るデータ信号抜き取り装置は、請求項２９に記載のデータ信号抜き取り装置において、上記補正量算出手段は、上記位相ずれ量算出手段より得られる位相ずれ量と、上記抜き取り間隔算出手段より得られる抜き取り間隔値の１／２の値との差分をとることにより上記補正量を算出することを特徴とするものである。
【００４１】
また、本発明の請求項３４に係るデータ信号抜き取り装置は、請求項２９に記載のデータ信号抜き取り装置において、上記抜き取り間隔補正手段は、上記抜き取り間隔値に対して、上記補正量を加算あるいは減算することにより上記抜き取り間隔補正値を算出することを特徴とするものである。
【００４２】
また、本発明の請求項３５に係るデータ信号抜き取り装置は、請求項２９に記載のデータ信号抜き取り装置において、上記ディジタル映像信号のクロックランインの期間を検出するＣＲＩ検出手段と、上記クロックランイン期間内の上記入力映像信号のクロックランイン周期を算出し、該算出した周期に基づいて上記入力映像信号の文字放送方式の種別を検出する文字放送方式検出手段とを備え、上記抜き取り間隔算出手段は、上記検出された文字放送方式の種別に応じて上記抜き取り間隔値を算出することを特徴とするものである。
【００４３】
【発明の実施の形態】
以下、本実施の形態について図面を参照しながら説明する。なお、ここで示す実施の形態はあくまでも一例であって、必ずしもこの実施の形態に限定されるものではない。
（実施の形態１）
以下、本発明の実施の形態１によるデータ信号抜き取り装置について図１及び図２を用いて説明する。
図１は、本実施の形態１にかかるデータ信号抜き取り装置の構成を示すブロック図である。
図１において、映像信号入力端子１は、垂直帰線期間に文字放送データが重畳されたアナログ映像信号Ｓ１を入力する。
【００４４】
Ａ／Ｄ変換器２は、上記アナログ映像信号Ｓ１を、所定のサンプリングクロックｆｓ（ＭＨｚ）でサンプリングしてディジタル映像信号Ｓ２に変換し、ローパスフィルタ（ＬＰＦ）３と同期分離回路４に出力する。
ＬＰＦ３は、入力されたディジタル映像信号Ｓ２に対してノイズ除去処理を施し、スライスレベル算出回路５とクロックランイン（ＣＲＩ）検出回路６と２値化回路８とに出力する。
同期分離回路４は、入力されたディジタル映像信号Ｓ２から水平同期信号Ｓ４ａ及び垂直同期信号Ｓ４ｂを分離し、ＣＲＩ検出回路６に出力する。なお、水平同期信号Ｓ４ａ及び垂直同期信号Ｓ４ｂは、ＣＲＩ期間等の位置を検出するために用いられる。
【００４５】
スライスレベル算出回路５は、上記ノイズ除去されたディジタル映像信号Ｓ３の所定のライン及び所定の位置の文字放送データから最適なスライスレベルＳ５を算出し、２値化回路８に出力する。
ＣＲＩ検出回路６は、水平同期信号Ｓ４ａ及び垂直同期信号Ｓ４ｂを用いて上記ノイズ除去されたディジタル映像信号Ｓ３のＣＲＩ期間の位置を検出し、ＣＲＩ検出信号Ｓ６として文字放送方式検出回路７及び補正量算出回路１４に出力する。
文字放送方式検出回路７は、ＣＲＩ検出信号Ｓ６に基づいて上記ノイズ除去されたディジタル映像信号Ｓ３のＣＲＩ周期を算出し、該算出した周期により文字放送方式の種別を判定し、文字放送方式パルスＳ７として抜き取り間隔算出回路９に出力する。
【００４６】
２値化回路８は、スライスレベル算出回路５で算出されたスライスレベルＳ５で上記ノイズ除去されたディジタル映像信号Ｓ３を０と１の２値化信号Ｓ８に変換し、抜き取り回路１５及びゼロ交差点検出回路１２に出力する。
抜き取り間隔算出回路９は、文字放送方式パルスＳ７に基づいて最適な抜き取り間隔データＳ９を算出し、抜き取り間隔補正回路１０及び補正量算出回路１４に出力する。この抜き取り間隔データＳ９は、サンプリングクロックｆｓと各種文字放送方式の伝送クロックとの比から算出することができる。すなわち、文字放送方式の種別とサンプリングクロックの周波数とが判明すれば、抜き取り間隔データＳ９は求めることができる。なお、抜き取り間隔データＳ９の単位は、サンプリングクロック数である。
抜き取り間隔補正回路１０は、補正量データＳ１４に応じて抜き取り間隔データＳ９を補正し、抜き取り間隔補正データＳ１０として抜き取りパルス生成回路１１に出力する。
【００４７】
抜き取りパルス生成回路１１は、抜き取り間隔補正データＳ１０に基づいて、最適な位置に抜き取りパルスＳ１１を生成し、抜き取り回路１５及び位相ずれ量算出回路１３に出力する。
ゼロ交差点検出回路１２は、２値化信号Ｓ８が０から１、及び１から０に変化するときのゼロ交差点を検出し、ゼロ交差点パルスＳ１２として位相ずれ量算出回路１３及び補正量算出回路１４に出力する。
位相ずれ量算出回路１３は、ゼロ交差点検出回路１２から出力されたゼロ交差点パルスＳ１２と抜き取りパルス生成回路１１から出力された抜き取りパルスＳ１１との位相差から位相ずれ量データＳ１３を算出し、補正量算出回路１４に出力する。なお、位相ずれ量データＳ１３の単位は、サンプリングクロック数である。
【００４８】
補正量算出回路１４は、位相ずれ量算出回路１３から出力された位相ずれ量データＳ１３に応じて抜き取り間隔の補正量データＳ１４を算出し、抜き取り間隔補正回路１０に出力する。
ここで、位相ずれ量データＳ１３に応じて算出される補正量データＳ１４は、以下のような手順で算出される。
【００４９】
位相遅れや位相進みがないような正常な信号の場合、ゼロ交差点パルスＳ１２と抜き取りパルスＳ１１との位相差、すなわち位相ずれ量データＳ１３は、抜き取り間隔データＳ９の１／２の値となる。また、信号に位相遅れが生じた場合、位相ずれ量データＳ１３は、抜き取り間隔データＳ９の１／２の値より大きくなり、位相進みが生じた場合、小さくなる。したがって、補正量算出回路１４では、抜き取り間隔データＳ９の１／２の値から位相ずれ量データＳ１３を減算した値を補正量データＳ１４とする。これにより、補正量データＳ１４が正数の場合は位相遅れ、負数の場合は位相進みが生じた信号であることがわかる。
なお、補正量データＳ１４を、位相ずれデータＳ１３から抜き取り間隔データＳ９の１／２の値を減算した値とした場合は、補正量データＳ１４が正数の場合は位相進み、負数の場合は位相遅れとなるだけであり、同様の効果を得られる。
【００５０】
また、補正量算出回路１４は、位相ずれ量データＳ１３に応じて変化するＲＡＭなどのルックアップテーブルで構成すれば良い。たとえば、位相ずれ量の入力に対し補正量を出力するようにすれば、同様の効果が得られる。
抜き取り回路１５は、抜き取りパルスＳ１１に基づいて２値化信号Ｓ８から文字放送データＳ１５を抜き取り、デコード回路１６に出力する。
デコード回路１６は、抜き取り回路１５で抜き取られたシリアルの文字放送データＳ１５をパラレルデータに変換し、文字放送の種別に応じた誤り訂正などのデコード処理を施した後、出力端子１７を介してデコード処理したデータＳ１６を外部に出力する。
【００５１】
以上のように構成された、本実施の形態１によるデータ信号抜き取り装置の動作について図２を用いて説明する。ここでは、文字放送データの種別をテレテキスト放送とした場合について説明する。
図２は、本実施の形態１に係るデータ信号抜き取り装置の動作を説明するためのタイミング図であり、（ａ）はアナログ映像信号Ｓ１、（ｂ）は水平同期信号Ｓ４ａ、（ｃ）はＣＲＩ検出信号Ｓ６、（ｄ）は２値化信号Ｓ８、（ｅ）はゼロ交差点パルスＳ１２、（ｆ）は位相ずれ量データＳ１３、（ｇ）は抜き取り間隔データＳ９、（ｈ）は補正量データＳ１４、（ｉ）は抜き取り間隔補正データＳ１０、（ｊ）は抜き取りパルスＳ１１を示している。
【００５２】
映像信号入力端子１から入力されるアナログ映像信号Ｓ１は、図２（ａ）に示すように、水平同期信号、バースト信号、ＣＲＩ期間、文字放送の種類などを示すフレーミングコード期間、及び文字放送データを含んでいる。
時刻Ｔ１において、アナログ映像信号Ｓ１をＡ／Ｄ変換器２でディジタル化して得られたディジタル映像信号Ｓ２から、同期分離回路４により、図２（ｂ）に示すような水平同期信号Ｓ４ａが分離される。
【００５３】
時刻Ｔ２において、上記ディジタル映像信号Ｓ２をＬＰＦ３によりノイズ除去して得られた信号Ｓ３から、ＣＲＩ検出回路６によりＣＲＩ期間が検出され、図２（ｃ）に示すＣＲＩ検出信号Ｓ６が生成される。また、ノイズ除去して得られた信号Ｓ３は、スライスレベル算出回路５から算出されるスライスレベルＳ５に基づいて、２値化回路８により２値化され、スライスレベルＳ５より上の信号を１、下の信号を０として、図２（ｄ）に示すような２値化信号Ｓ８が生成される。そして、ゼロ交差点検出回路１２により、２値化信号Ｓ８が０から１、及び１から０に変化するときのゼロ交差点のパルスが検出され、図２（ｅ）に示すようなゼロ交差点パルスＳ１２が生成される。
【００５４】
時刻Ｔ３において、ＣＲＩ検出信号Ｓ６が１の期間で、ゼロ交差点パルスＳ１２間のクロック数、すなわち周期を算出し、該算出した周期が、例えば、テレテキスト放送の文字放送方式に一致したとき、抜き取り間隔算出回路９により、図２（ｇ）に示す抜き取り間隔データＳ９が生成される。
時刻Ｔ４において、抜き取りパルス生成回路１１では、ゼロ交差点パルスＳ１２を起点として抜き取り間隔データの１／２の位置に、図２（ｊ）に示すような抜き取りパルスＳ１１が生成される。また、位相ずれ量算出回路１３では、図２（ｅ）に示すゼロ交差点パルスＳ１２と図２（ｊ）に示す抜き取りパルスＳ１１との位相差がゼロ交差点パルスＳ１２の検出ごとに算出され、図２（ｆ）に示すような位相ずれ量データＳ１３が得られる。文字放送データが重畳された映像信号Ｓ１に位相ずれなどの波形歪みが発生しない場合、位相ずれ量データＳ１３は、抜き取り間隔データＳ９の１／２の値と等しくなる。つまり、補正量算出回路１４において、位相ずれ量データＳ１３から抜き取り間隔データＳ９の１／２の値を減算した値を補正量データＳ１４とした場合、図２（ｈ）に示す補正量データＳ１４は０となる。したがって、時刻Ｔ４から時刻Ｔ５の間は、位相ずれを発生していないため、時刻Ｔ４で生成した抜き取りパルスを起点として抜き取り間隔データＳ９の幅で、図２（ｊ）に示すような抜き取りパルスＳ１１が生成される。
時刻Ｔ５において、群遅延などにより位相ずれが発生した場合、時刻Ｔ５における抜き取りパルスＳ１１と時刻Ｔ６におけるゼロ交差点パルスＳ１２との位相ずれ量データＳ１３は、抜き取り間隔データＳ９の１／２の値とは等しくならず、数クロック分ずれた値となる。
【００５５】
補正量算出回路１４では、位相ずれ量データＳ１３に基づいて補正量が算出される。ここで、抜き取り間隔データＳ９の１／２の値（以下、正常値とする）をφｎとし、位相ずれ量データＳ１３から正常値φｎを減算した差分値を補正量データＳ１４とすると、位相遅れの場合、位相ずれ量データＳ１３は正常値φｎより大きくなるため、補正量は正数となる。また、位相進みの場合、位相ずれ量データＳ１３は正常値φｎより小さくなるため、補正量は負数となる。
【００５６】
このようにして求めた補正量データＳ１４を抜き取り間隔データＳ９に加算した値を抜き取り間隔補正データＳ１０とすると、図２に示した位相遅れの場合、抜き取り間隔補正データＳ１０は、抜き取り間隔データＳ９より大きくなり、抜き取りパルスＳ１１は、時刻Ｔ７の位置に生成される。これにより、入力映像信号が位相遅れを発生した場合でも、抜き取り間隔を補正することで、時刻Ｔ７における位相遅れ分を補正し、抜き取り回路１５において抜き取りエラーをおこすことなく、入力映像信号から文字放送データS１５を正確に抜き取ることができる。
そして、抜き取られた文字放送データS１５は、デコード回路１６によりデコード処理され、表示回路（図示しない）に出力される。これにより、文字放送の種別に応じた表示が行われる。
【００５７】
なお、上記図２では位相遅れに関する説明であったが、位相進みに対しては、抜き取り間隔補正データＳ１０は、抜き取り間隔データＳ９より小さくなり、位相進み分を補正することにより、入力映像信号からの文字放送データの抜き取りを正確に行うことができる。
また、上記図２の説明では、補正量を位相ずれ量データＳ１３から正常値φｎを減算した値としたが、逆に、補正量を正常値φｎから位相ずれ量データＳ１３を減算した値として、抜き取り間隔データＳ９から減算した値を抜き取り間隔補正データＳ１０としても全く同様の効果が得られる。
また、文字放送信号がテレテキスト信号でない場合も、上述のように、文字放送の種別を判定し、その種別に応じた抜き取り間隔データＳ９を算出し、位相ずれを発生したときは適応的に抜き取り間隔を補正することにより、正確な抜き取りが可能となる。
【００５８】
このような本実施の形態１によるデータ信号抜き取り装置では、外部からシリアル伝送された入力映像信号Ｓ１に位相ずれが発生したとき、瞬時に位相ずれ量Ｓ１３を算出し、その位相ずれ量Ｓ１３に応じて抜き取り間隔データＳ９を補正し、抜き取りパルスＳ１１を発生するようにしたので、入力映像信号が途中で位相ずれを発生したとき、瞬時に位相ずれ量を検出して最適な位置に抜き取りパルスを発生させることができ、その結果、群遅延等により伝送系に歪みを受けた信号に対して、波形等化などの大規模な回路を必要とすることなく、簡単な回路構成で正確な抜き取りを行うことができる。
【００５９】
また、文字放送方式の種別を判定し、その種別とサンプリングクロックの周波数とから抜き取りパルスを発生するようにしたので、欧州のテレテキスト放送だけでなく、ＶＰＳ、ＷＳＳ、日本の文字多重放送、電子プログラミング案内（略して、ＥＰＧ）、米国のクローズドキャプション放送にも対応して抜き取りを行うことができ、本実施の形態１に係るデータ信号抜き取り装置１つで、全世界の文字放送方式に対応することができる。
【００６０】
（実施の形態２）
以下、本発明の実施の形態２によるデータ信号抜き取り装置について図３及び図４を用いて説明する。
図３は、本実施の形態２にかかるデータ信号抜き取り装置の構成を示すブロック図である。
図３において、映像信号入力端子３０１は、垂直帰線期間に文字放送データが重畳されたアナログ映像信号Ｓ３０１を入力する。
Ａ／Ｄ変換器３０２は、上記アナログ映像信号Ｓ３０１を所定のサンプリングクロックｆｓ（ＭＨｚ）でサンプリングしてディジタル映像信号Ｓ３０２に変換し、ローパスフィルタ（ＬＰＦ）３０３と同期分離回路３０４に出力する。
【００６１】
ＬＰＦ３０３は、入力されたディジタル映像信号Ｓ３０２に対してノイズ除去処理を施し、スライスレベル算出回路３０５とクロックランイン（ＣＲＩ）検出回路３０６と文字放送方式検出回路３０７と２値化回路３０８とに出力する。
同期分離回路３０４は、入力されたディジタル映像信号Ｓ３０２から水平同期信号Ｓ３０４ａ及び垂直同期信号Ｓ３０４ｂを分離し、ＣＲＩ検出回路３０６に出力する。なお、水平同期信号Ｓ３０４ａ及び垂直同期信号Ｓ３０４ｂは、ＣＲＩ期間等の位置を検出するために用いられる。
【００６２】
スライスレベル算出回路３０５は、上記ノイズ除去されたディジタル映像信号Ｓ３０３内の所定のライン及び所定の位置の文字放送データから最適なスライスレベルＳ３０５を算出し、２値化回路３０８に出力する。
ＣＲＩ検出回路３０６は、水平同期信号Ｓ３０４ａ及び垂直同期信号Ｓ３０４ｂを用いて上記ノイズ除去されたディジタル映像信号Ｓ３０３のＣＲＩ期間の位置を検出し、ＣＲＩ検出信号Ｓ３０６として文字放送方式検出回路３０７とカウンタ３１０と抜き取りパルス生成回路３１４とに出力する。
【００６３】
文字放送方式検出回路３０７は、上記ＣＲＩ検出信号Ｓ３０６に基づいて上記ノイズ除去されたディジタル映像信号Ｓ３０３のＣＲＩ周期を算出し、該算出した周期により文字放送方式の種別を判定し、文字放送方式パルスＳ３０７として抜き取り間隔算出回路３０９に出力する
２値化回路３０８は、上記ノイズ除去されたディジタル映像信号Ｓ３０３をスライスレベル算出回路３０５で算出されたスライスレベルＳ３０５で０と１の２値化信号Ｓ３０８に変換し、抜き取り回路３１６及びゼロ交差点検出回路３１５に出力する。
【００６４】
抜き取り間隔算出回路３０９は、上記文字放送方式パルスＳ３０７に基づいて最適な抜き取り間隔データＳ３０９を算出し、演算器３１２に出力する。なお、抜き取り間隔データＳ３０９は、サンプリングクロックｆｓと各種文字放送方式の伝送クロックとの比から算出することができる。すなわち、文字放送方式の種別とサンプリングクロックの周波数とが判明すれば、抜き取り間隔データＳ３０９は求めることができる。抜き取り間隔データＳ３０９の単位は、サンプリングクロック数である。
【００６５】
カウンタ３１０は、上記ＣＲＩ検出信号Ｓ３０６の入力により動作を開始し、抜き取りパルス生成回路３１４で生成された抜き取りパルスＳ３１４の入力によりリセットし、カウンタデータＳ３１０としてカウンタ値取り込み回路３１１及び比較器３１３に出力する。
カウンタ値取り込み回路３１１は、上記カウンタデータＳ３１０をゼロ交差点パルスＳ３１５の検出に応じて取り込み、カウンタロードデータＳ３１１として演算器３１２に出力する。
【００６６】
演算器３１２は、上記カウンタロードデータＳ３１１に対して抜き取り間隔データＳ３０９の１／２の値を加算し、演算データＳ３１２として比較器３１３に出力する。なお、位相遅れや位相進み等のない正常な信号の場合、カウンタロードデータＳ３１１は抜き取り間隔データＳ３０８の１／２の値と一致し、演算データＳ３１２は抜き取り間隔データＳ３０８と同一となる。一方、位相遅れが発生した場合、カウンタロードデータＳ３１１は抜き取り間隔データＳ３０９の１／２の値より大きくなり、演算データＳ３１２は抜き取り間隔データＳ３０９より大きな値となる。また、位相進みが発生した場合、カウンタロードデータＳ３１１は抜き取り間隔データＳ３０９の１／２の値より小さくなり、演算データＳ３１２は抜き取り間隔データＳ３０９より小さな値となる。
【００６７】
比較器３１３は、カウンタデータＳ３１０と演算データＳ３１２とを比較し、両者が一致したとき、比較パルスＳ３１３を抜き取りパルス生成回路３１４に出力する。
抜き取りパルス生成回路３１４は、比較パルスＳ３１３に基づいて最適な位置に抜き取りパルスＳ３１４を生成し、抜き取りパルスＳ３１４として抜き取り回路３１６に出力する。
【００６８】
ゼロ交差点検出回路３１５は、２値化信号Ｓ３０８の０から１、及び１から０へ変化するときのゼロ交差点を検出し、ゼロ交差点パルスＳ３１５としてカウンタ値取り込み回路３１１及び抜き取りパルス生成回路３１４に出力する。
抜き取り回路３１６は、上記抜き取りパルスＳ３１４に基づいて２値化信号Ｓ３０８から文字放送データＳ３１６を抜き取り、デコード回路３１７に出力する。
デコード回路３１７は、抜き取り回路３１６で抜き取られたシリアルの文字放送データＳ３１６をパラレルデータに変換し、文字放送の種別に応じた誤り訂正などのデコード処理を施した後、出力端子３１８を介してデコード処理したデータＳ３１６を外部へ出力する。
【００６９】
以上のように構成された、本実施の形態２によるデータ信号抜き取り装置の動作について図４を用いて説明する。ここでは、文字放送データの種別をテレテキスト放送とした場合について説明する。
図４は、本実施の形態２に係るデータ信号抜き取り装置の動作を説明するためのタイミング図である。図４（ａ）はアナログ映像信号Ｓ３０１、図４（ｂ）は水平同期信号Ｓ３０４ａ、図４（ｃ）はＣＲＩ検出信号Ｓ３０６、図４（ｄ）は２値化信号Ｓ３０８、図４（ｅ）はゼロ交差点パルスＳ３１５、図４（ｆ）はカウンタデータＳ３１０、図４（ｇ）はカウンタロードデータＳ３１１、図４（ｈ）は抜き取り間隔データＳ３０９、図４（ｉ）は演算データＳ３１２、図４（ｊ）は抜き取りパルスＳ３１４を示している。
【００７０】
映像信号入力端子３０１から入力されるアナログ映像信号Ｓ３０１は、図４（ａ）に示すように、水平同期信号、バースト信号、ＣＲＩ期間、文字放送の種類などを示すフレーミングコード期間、及び文字放送データを含んでいる。
時刻Ｔ４０１において、上記アナログ映像信号Ｓ３０１をＡ／Ｄ変換器３０２でディジタル化して得られたディジタル映像信号Ｓ３０２から、同期分離回路３０４により、図４（ｂ）に示すような水平同期信号Ｓ３０４ａが分離される。
【００７１】
時刻Ｔ４０２において、上記ディジタル映像信号Ｓ３０２をＬＰＦ３０３によりノイズ除去して得られた信号Ｓ３０３から、ＣＲＩ検出回路３０６によりＣＲＩ期間が検出され、図４（ｃ）に示すＣＲＩ検出信号Ｓ３０６が生成される。また、上記ノイズ除去して得られた信号Ｓ３０２は、スライスレベル算出回路３０５から算出されるスライスレベルＳ３０５に基づいて２値化回路３０８により２値化され、スライスレベルＳ３０５より上の信号を１、下の信号を０として、図４（ｄ）に示すような２値化信号Ｓ３０８が生成される。そして、ゼロ交差点検出回路３１２により、２値化信号Ｓ３０８が０から１、及び１から０に変化するときのゼロ交差点のパルスが検出され、図４（ｅ）に示すようなゼロ交差点パルスＳ３１５が生成される。
【００７２】
時刻Ｔ４０３において、ＣＲＩ検出信号Ｓ３０６が１の期間で、ゼロ交差点パルスＳ３１５間のクロック数、すなわち周期を算出し、その周期が、例えば、テレテキスト放送の文字放送方式に一致した場合、抜き取り間隔算出回路３０９により、図４（ｈ）に示す抜き取り間隔データＳ３０９が生成される。
時刻Ｔ４０４において、抜き取りパルス生成回路３１４では、ゼロ交差点パルスＳ３１５を起点として抜き取り間隔データの１／２の位置に、図４（ｋ）に示す抜き取りパルスＳ３１４が生成される。カウンタ３１０では、最初の抜き取りパルスＳ３１４が生成されると、次の抜き取りパルスＳ３１４でリセットされると同時に動作が開始され、図４（ｆ）に示すカウンタデータＳ３１０が生成される。カウンタ値取り込み回路３１１では、ゼロ交差点検出回路３１５にて生成された図４（ｅ）に示すゼロ交差点パルスＳ３１５により図４（ｆ）に示すカウンタデータＳ３１０がロードされ、図４（ｇ）に示すようなカウンタロードデータＳ３１１が生成される。演算器３１２では、カウンタロードデータＳ３１１と抜き取り間隔データＳ３０９の１／２の値とを加算し、その演算結果が図４（ｉ）に示す演算データＳ３１２として出力される。比較器３１３では、カウンタデータＳ３１０と演算データＳ３１２とを比較し、両者が一致した位置で図４（ｊ）に示す比較パルスＳ３１３を発生する。抜き取りパルス生成回路３１４では、ＣＲＩ検出信号Ｓ３０６が１でゼロ交差点信号Ｓ３１５が検出され、かつ抜き取り間隔データＳ３０９が確定している時刻Ｔ４０４から時刻Ｔ４０５の間は、ゼロ交差点パルスＳ３１５を起点として抜き取り間隔データの１／２の位置に抜き取りパルスＳ３１４が生成され、時刻Ｔ４０５以降は、比較パルスＳ３１３が抜き取りパルスＳ３１４として用いられる。
【００７３】
時刻Ｔ４０５から時刻Ｔ４０６の間は、文字放送データが重畳されたアナログ映像信号Ｓ３０１に群遅延などで発生する位相ずれなどの波形歪みが発生していないので、カウンタロードデータＳ３１１と抜き取り間隔データＳ３０９の１／２の値とは一致し、演算データＳ３１２は、抜き取り間隔データＳ３０９と同一になる。したがって、比較パルスＳ３１３及び抜き取りパルスＳ３１４は、抜き取り間隔データＳ３０９の幅で生成される。
時刻Ｔ４０６において、郡遅延などによる位相ずれが発生したとき、時刻Ｔ４０７において、カウンタロードデータＳ３１１は、抜き取り間隔データＳ３０９の１／２の値とは等しくはならない。演算器３１２では、カウンタロードデータＳ３１１と抜き取り間隔データＳ３０９の１／２の値とを加算し、演算データＳ３１２が算出される。
【００７４】
ここで、抜き取り間隔データＳ３０９の１／２の値をφｎ、カウンタロードデータＳ３１１の値をＣＮＴＬＤとし、演算データＳ３１２の値をＣＡＬＤとすると、演算データＳ３１２の値ＣＡＬＤは、（φｎ＋ＣＮＴＬＤ）で表される。位相遅れの場合、演算データＳ３１２の値ＣＡＬＤは抜き取り間隔データＳ３０９の値２φｎより大きくなる。また、位相進みの場合、演算データＳ３１２の値ＣＡＬＤは抜き取り間隔データＳ３０９の値２φｎより小さくなる。図４に示した位相遅れの場合、演算データＳ３１２は抜き取り間隔データＳ３０９より大きくなり、時刻Ｔ４０７において発生される比較パルスＳ３１３は、時刻Ｔ４０５から時刻Ｔ４０６の間に発生される比較パルスＳ３１３よりも発生パルスの時間間隔が大きくなる。抜き取りパルスＳ３１４についても同様である。これにより、入力映像信号が位相遅れを発生した場合でも、位相遅れに応じて抜き取りパルスを補正することで、時刻Ｔ４０７における位相遅れ分を補正し、抜き取り回路３１６において抜き取りエラーをおこすことなく、入力映像信号から文字放送データＳ３１６を正確に抜き取ることができる。
そして、抜き取られた文字放送データS３１６は、デコード回路３１７にてデコード処理され、表示回路（図示しない）に出力される。これにより、文字放送の種別に応じた表示が行われる。
【００７５】
なお、図４では位相遅れに関する説明であったが、位相進みに対しては、演算データＳ３１２は抜き取り間隔データＳ３０９より小さくなり、位相進み分を補正することにより、入力映像信号からの文字放送データの抜き取りを正確に行うことができる。
また、文字放送信号がテレテキスト信号でない場合も上述したように、文字放送の種別を判定し、その種別に応じた抜き取り間隔データＳ３０９を算出し、位相ずれを発生したとき、適応的に抜き取りパルスを補正することにより、正確な抜き取りが可能となる。
【００７６】
以上のように、本実施の形態２によるデータ信号抜き取り装置は、外部からシリアル伝送された入力映像信号Ｓ３０１の位相ずれを、カウンタ３１０によりサンプリングクロックの数をカウントし、ゼロ交差点検出回路３１５によるゼロ交差点Ｓ３１５の検出に応じて上記カウンタ３１０のカウント値を取り込み、このカウンタ値Ｓ３１１と抜き取り間隔算出回路３０９にて算出された抜き取り間隔値Ｓ３０９とを用いて信号の位相ずれ量Ｓ３１３を算出し、該位相ずれ量Ｓ３１３に応じて上記抜き取り間隔値Ｓ３０９を補正し、抜き取りパルスＳ３１４を発生するようにしたので、入力映像信号の位相ずれを瞬時に検出して最適な位置に抜き取りパルスを発生させることができ、その結果、群遅延等により伝送系に歪みを受けた信号に対して、波形等化などの大規模な回路を必要とすることなく、簡単な回路構成で正確な抜き取りを行うことができる。
【００７７】
また、文字放送方式の種別を判定し、その種別とサンプリングクロックの周波数とから抜き取りパルスを発生するようにしたので、欧州のテレテキスト放送だけでなく、ＶＰＳ、ＷＳＳ、日本の文字多重放送、電子プログラミング案内（略して、ＥＰＧ）、米国のクローズドキャプション放送にも対応して抜き取りを行うことができ、本実施の形態２に係るデータ信号抜き取り装置１つで、全世界の文字放送方式に対応することができる。
【００７８】
（実施の形態３）
以下、本発明の実施の形態３によるデータ信号抜き取り装置について図５から図８を用いて説明する。
図５は、本実施の形態３にかかるデータ信号抜き取り装置の構成を示すブロック図である。
図５において、映像信号入力端子５０１は、垂直帰線期間に文字放送データが重畳されたアナログ映像信号Ｓ５０１を入力する。
【００７９】
Ａ／Ｄ変換器５０２は、上記アナログ映像信号Ｓ５０１を所定のサンプリングクロックｆｓ（ＭＨｚ）でサンプリングし、ディジタル映像信号Ｓ５０２に変換し、ローパスフィルタ（ＬＰＦ）５０３及び同期分離回路５０４に出力する。
ＬＰＦ５０３は、入力されたディジタル映像信号Ｓ５０２に対しノイズ除去を施し、スライスレベル算出回路５０５とクロックランイン（ＣＲＩ）検出回路５０６と文字放送方式検出回路５０７と２値化回路５０８とに出力する。
【００８０】
同期分離回路５０４は、入力されたディジタル映像信号Ｓ５０２から水平同期信号Ｓ５０４ａ及び垂直同期信号Ｓ５０４ｂを分離し、ＣＲＩ検出回路５０６に出力する。なお、水平同期信号Ｓ５０４ａ及び垂直同期信号Ｓ５０４ｂは、ＣＲＩ期間等の位置を求めるために用いられる。
スライスレベル算出回路５０５は、上記ノイズ除去されたディジタル映像信号Ｓ５０３内の所定のライン及び所定の位置の文字放送データから最適なスライスレベルＳ５０５を算出し、２値化回路５０８に出力する。
ＣＲＩ検出回路５０６は、水平同期信号Ｓ５０４ａ及び垂直同期信号Ｓ５０４ｂを用いて上記ノイズ除去されたディジタル映像信号Ｓ５０３のＣＲＩ期間の位置を検出し、ＣＲＩ検出信号Ｓ５０６として文字放送方式検出回路５０７及びＣＲＩアドレス算出回路５１０に出力する。
【００８１】
文字放送方式検出回路５０７は、上記ＣＲＩ検出信号Ｓ５０６に基づいて上記ノイズ除去されたディジタル映像信号Ｓ５０３のＣＲＩ周期を算出し、該算出した周期より文字放送方式の種別を判定し、文字放送方式パルスＳ５０７を抜き取り間隔算出回路５０９に出力する。
２値化回路５０８は、スライスレベル算出回路５０５で算出されたスライスレベルＳ５０５で上記ノイズ除去されたディジタル映像信号Ｓ５０３を０と１の２値化信号Ｓ５０８に変換し、ＲＡＭ５１４に出力する。
【００８２】
抜き取り間隔算出回路５０９は、文字放送方式パルスＳ５０７に基づいて最適な抜き取り間隔データＳ５０９を算出し、初期アドレス算出回路５１１とＲＡＭアドレス算出回路５１２とアドレス補正値算出回路５１５とに出力する。なお、抜き取り間隔データＳ５０９は、サンプリングクロックｆｓと各種文字放送方式の伝送クロックとの比から算出することができる。すなわち、文字放送方式の種別とサンプリングクロックの周波数とが判明すれば、抜き取り間隔データＳ５０９は求めることができる。抜き取り間隔データＳ５０９の単位は、サンプリングクロック数である。
【００８３】
ＣＲＩアドレス算出回路５１０は、上記ＣＲＩ検出信号Ｓ５０６に基づいてＣＲＩ開始位置を示すＣＲＩスタートアドレス（ＣＲＩＳＡ）Ｓ５１０ａとＣＲＩ終了位置を示すＣＲＩエンドアドレス（ＣＲＩＥＡ）Ｓ５１０ｂとを算出し、初期アドレス算出回路５１１に出力する。
初期アドレス算出回路５１１は、入力されたゼロ交差点アドレスＳ５１６のうち、ＣＲＩスタートアドレスＳ５１０ａとＣＲＩエンドアドレスＳ５１０ｂとの間のゼロ交差点アドレスを検出し、その検出したゼロ交差点アドレスに抜き取り間隔データＳ５０９の１／２の値を加算して初期アドレスＳ５１１を算出し、ＲＡＭアドレス算出回路５１２に出力する。
【００８４】
ＲＡＭアドレス算出回路５１２は、上記初期アドレスＳ５１１を起点アドレスとして順次抜き取り間隔データＳ５０９を加算してＲＡＭアドレスＳ５１２を算出し、ＲＡＭアドレス補正回路５１３及びアドレス補正値算出回路５１５に出力するが、ＲＡＭアドレス補正回路５１３から出力されたＲＡＭ補正アドレスＳ５１３が入力されると、そのＲＡＭ補正アドレスＳ５１３に順次抜き取り間隔データＳ５０９を加算してＲＡＭアドレスＳ５１２を算出し、ＲＡＭアドレス補正回路５１３及びアドレス補正値算出回路５１５に出力する。
【００８５】
ＲＡＭアドレス補正回路５１３は、ＲＡＭアドレスＳ５１２にアドレス補正データＳ５１５を加算してＲＡＭ補正アドレスＳ５１３を算出し、ＲＡＭ５１４及びＲＡＭアドレス算出回路５１２に出力する。
ＲＡＭ５１４は、２値化信号Ｓ５０８のデータを１ライン分格納し、格納データＳ５１４ａをゼロ交差点アドレス検出回路５１６に出力する。また、ＲＡＭ補正アドレスＳ５１３が入力されると、該ＲＡＭ補正アドレスＳ５１３に対応したシリアルデータＳ５１４ｂをデコード回路５１７に出力する。
【００８６】
アドレス補正値算出回路５１５は、ゼロ交差点アドレスＳ５１６からＲＡＭアドレスＳ５１２を減算した値から抜き取り間隔データＳ５０９の１／２の値を減算した値をアドレス補正データＳ５１５としてＲＡＭアドレス補正回路５１３に出力する。位相遅れや位相進みがないような正常な信号の場合、ゼロ交差点アドレスＳ５１６からＲＡＭアドレスＳ５１２を減算した値と抜き取り間隔データＳ５０９の１／２の値とは一致し、アドレス補正データＳ５１５は０となる。しかしながら、位相遅れが発生した場合、ゼロ交差点アドレスＳ５１６からＲＡＭアドレスＳ５１２を減算した値は、抜き取り間隔データＳ５０９の１／２の値より大きくなり、位相進みが発生した場合は小さくなる。すなわち、位相遅れの場合、アドレス補正データＳ５１５は正数となり、位相進みの場合、アドレス補正データＳ５１５は負数となる。
【００８７】
ゼロ交差点アドレス検出回路５１６は、ＲＡＭ５１４の格納データＳ５１４ａから０から１及び１から０に変化するゼロ交差点アドレスＳ５１６を検出し、初期アドレス算出回路５１１及びアドレス補正値算出回路５１５に出力する。
デコード回路５１７はＲＡＭ５１４から出力されるシリアルの文字放送データＳ５１４ｂをパラレルデータに変換し、文字放送の種別に応じた誤り訂正などのデコード処理を行い、出力端子５１８を介してデコード処理したデータＳ５１７を外部へ出力する。
【００８８】
以上のように構成された、本実施の形態３によるデータ信号抜き取り装置の動作について図６を用いて説明する。ここでは、文字放送データの種別をテレテキスト放送とした場合について説明する。
映像信号入力端子５０１を介してテレテキスト放送の文字データが重畳されたアナログ映像信号（文字放送信号）Ｓ５０１が入力されると、文字放送信号Ｓ５０１は、Ａ／Ｄ変換器５０２によりディジタル映像信号Ｓ５０２にディジタル化される（ステップＳ６０１）。
【００８９】
そして、上記ディジタル映像信号Ｓ５０２は、同期分離回路５０４により水平同期信号Ｓ５０４ａ及び垂直同期信号Ｓ５０４ｂが分離される（ステップＳ６０２）。また、上記ディジタル映像信号Ｓ５０２は、ＬＰＦ５０３によりノイズ除去処理が施される（ステップＳ６０３）。そして、上記ディジタル映像信号Ｓ５０３のスライスレベル値がスライスレベル算出回路５０５により算出され（ステップＳ６０４）、上記ノイズ除去されたディジタル映像信号Ｓ５０３を２値化回路５０８にて上記スライスレベル値を用いて０と１の２値化信号に変換し（ステップＳ６０５）、ＲＡＭ５１４に格納する（ステップＳ６０６）。
【００９０】
そして、ＣＲＩ検出回路５０６では、上記ノイズ除去されたディジタル映像信号Ｓ５０３から文字放送信号Ｓ５０１のＣＲＩ期間が検出され（ステップＳ６０７）、ＣＲＩアドレス算出回路５１０によりＣＲＩ期間の開始位置を示すＣＲＩスタートアドレスＣＲＩＳＡＳ５１０ａ、及びＣＲＩ期間の終了位置を示すＣＲＩエンドアドレスＣＲＩＥＡＳ５１０ｂが検出され、設定される（ステップＳ６０８、Ｓ６０９）。そして、文字放送方式検出回路５０７により、上記ＣＲＩ検出回路５０６にて検出されたＣＲＩ期間内でＣＲＩの周波数が算出され、文字放送方式の種別が検出される（ステップＳ６１０）。
【００９１】
抜き取り間隔算出回路５０９により上記文字放送方式の種別に応じた抜き取り間隔ＳＰＩＮＴＶが算出され（ステップＳ６１１）、その抜き取り間隔ＳＰＩＮＴＶに基づいて文字放送データの抜き取り処理が行われ（ステップＳ６１２）、抜き取られたシリアルの文字放送データＳ５１４ｂはデコード回路５１７によりパラレルデータに変換され、上記文字放送の種別に応じた誤り訂正などのデコード処理が行われ、出力端子５１８を介して表示回路（図示しない）に出力する（ステップＳ６１３）。これにより、文字放送の種別に応じた表示を行うことができる。
【００９２】
次に、上記図６のステップＳ６１２の抜き取りデータ処理について図７を用いて詳細に説明する。
文字放送信号のｉ（ｉは０以上の整数）番目抜き取りパルスに対し、抜き取った順に以下に示す抜き取りデータ処理を施す（Ｓ７０１）。
まず、２値化信号の０から１及び１から０に変化するゼロ交差点アドレスＺＲＣＲＳＡ（ｉ）を算出する（ステップＳ７０２）。
そして、ゼロ交差点アドレスＺＲＣＲＳＡ（ｉ）と、図６のステップＳ６０８で求めたＣＲＩスタートアドレスＣＲＩＳＡとを比較する（ステップＳ７０３）。比較した結果、ゼロ交差点アドレスＺＲＣＲＳＡ（ｉ）がＣＲＩＳＡよりも大きい場合は次のステップＳ７０４に進み、小さい場合は上記ステップＳ７０２に戻り、再度、ゼロ交差点アドレスＺＲＣＲＳＡ（ｉ）の算出を行う。
【００９３】
次に、ゼロ交差点アドレスＺＲＣＲＳＡ（ｉ）と、図６のステップＳ６０９で求めたＣＲＩエンドアドレスＣＲＩＥＡとを比較する（ステップＳ７０４）。比較した結果、ゼロ交差点アドレスＺＲＣＲＳＡ（ｉ）がＣＲＩＥＡより小さい場合はステップＳ７０５に進み、大きい場合はステップＳ７０８に進む。
【００９４】
以上のステップＳ７０３〜Ｓ７０４までの処理は、ゼロ交差点アドレスＺＲＣＲＳＡ（ｉ）がＣＲＩ期間内に入っているかどうかを調べるものである。
ゼロ交差点アドレスＺＲＣＲＳＡ（ｉ）がＣＲＩ期間内に入っている場合、ゼロ交差点アドレスＺＲＣＲＳＡ（ｉ）に対して、図６のステップＳ６１１で算出した抜き取り間隔ＳＰＩＮＴＶの１／２の値を加算することにより、初期アドレスＩＮＴＡを算出する（ステップＳ７０５）。そして、算出した初期アドレスＩＮＴＡをＲＡＭアドレスＲＡＭＡ（ｉ）に代入し（ステップＳ７０６）、このＲＡＭアドレスＲＡＭＡ（ｉ）をＲＡＭ補正アドレスＲＡＭＣＯＲＡ（ｉ）に代入する（ステップＳ７０７）。なお、ＣＲＩ期間内は、ステップＳ７０２からステップＳ７０７までの処理を順次実行する。
【００９５】
ＣＲＩ期間が終了した場合、つまり、ゼロ交差点アドレスＺＲＣＲＳＡ（ｉ）がＣＲＩエンドアドレスＣＲＩＥＡよりも大きい場合、１つ前で算出したＲＡＭ補正アドレスＲＡＭＣＯＲＡ（ｉ−１）に対して抜き取り間隔ＳＰＩＮＴＶを加算することにより、ＲＡＭアドレスＲＡＭＡ（ｉ）を算出する（ステップＳ７０８）。そして、ステップＳ７０８で算出したＲＡＭアドレスＲＡＭＡ（ｉ）からステップＳ７０２で算出したゼロ交差点アドレスＺＲＣＲＳＡ（ｉ）を減算した値を、抜き取り間隔ＳＰＩＮＴＶの１／２の値から減算することにより、アドレス補正値ＡＣＯＲ（ｉ）を算出する（ステップＳ７０９）。そして、算出したアドレス補正値ＡＣＯＲ（ｉ）をＲＡＭアドレスＲＡＭＡ（ｉ）に加算し、ＲＡＭ補正アドレスＲＡＭＣＯＲＡ（ｉ）を算出する（ステップＳ７１０）。このようにして得られたＲＡＭ補正アドレスＲＡＭＣＯＲＡ（ｉ）に対応するデータＳ５１４ｂをＲＡＭ５１４から出力する（ステップＳ７１１）。そして、当該パルスが、最後の文字放送信号の抜き取りパルスであるかどうかを調べ（ステップＳ７１２）、最後のパルスであれば、上記抜き取りデータ処理を終了し、そうでなければ、次のパルスについて、ステップＳ７０２に戻って上記処理を再度行う（ステップＳ７１３）。
【００９６】
以下に、本実施の形態３によるデータ信号抜き取り装置の動作について図８を用いて具体的に説明する。なお、文字放送信号としては欧州テレテキスト信号を用い、サンプリングクロックは２８ＭＨｚとする。図８において、黒丸で示すＳＰ０〜ＳＰｎ+６は、テレテキスト信号を２８ＭＨｚでサンプリングした点である。欧州テレテキスト信号の伝送クロックは、６．９３７５メガヘルツであるため、抜き取り間隔は、サンプリングクロック２８ＭＨｚを６．９３７５ＭＨｚで除算した値４．０３６となる。
【００９７】
まず、ＣＲＩスタートアドレスＣＲＩＳＡとＣＲＩエンドアドレスＣＲＩＥＡとの間にあるゼロ交差点アドレスＺＲＣＲＳＡ（０）を検出する。ここでは、サンプリング点ＳＰ１とする。
そして、上記サンプリング点ＳＰ１から抜き取り間隔の１／２の値、つまり、２．０１８進んだ点が初期アドレスとなるが、そのアドレスが示す点にはサンプリング点が存在しないため、小数点以下を切り捨てた最も近いサンプリング点を初期アドレスＩＮＴＡとする。ここでは、サンプリング点ＳＰ３を初期アドレスＩＮＴＡとする。なお、初期アドレスＩＮＴＡは、ＲＡＭアドレスＲＡＭＡ（０）及びＲＡＭ補正アドレスＲＡＭＣＯＲＡ（０）にあたる。
【００９８】
続いて、ＲＡＭ補正アドレスＲＡＭＣＯＲＡ（０）に対して抜き取り間隔値４．０３６を加算することにより、次のＲＡＭアドレスＲＡＭＡ（１）を算出する。なお、小数点以下は四捨五入するため、ＲＡＭアドレスＲＡＭＡ（１）は、サンプリング点ＳＰ６にあたる。
【００９９】
ここで、ＲＡＭ補正アドレスＲＡＭＣＯＲＡ（０）とＲＡＭアドレスＲＡＭＡ（１）の間にはサンプリング点ＳＰ４の位置にゼロ交差点アドレスＺＲＣＲＳＡ（１）が存在するため、アドレス補正値ＡＣＯＲ（１）を算出する。上記初期アドレスＩＮＴＡの値を０とした場合、ＲＡＭアドレスＲＡＭＡ（１）は４、ゼロ交差点アドレスＺＲＣＲＳＡ（１）は２となるので、ＲＡＭアドレスＲＡＭＡ（１）からゼロ交差点アドレスＺＲＣＲＳＡ（１）を減算した値は２となり、この値を抜き取り間隔の１／２の値である２．０１８から減算することにより、アドレス補正値ＡＣＯＲ（１）は０．０１８と算出することができる。
【０１００】
また、算出したアドレス補正値ＡＣＯＲ（１）にＲＡＭアドレスＲＡＭＡ（１）を加算した値４．０１８は、ＲＡＭ補正アドレスＲＡＭＣＯＲＡ（１）となる。なお、小数点以下は四捨五入するため、ＲＡＭ補正アドレスＲＡＭＣＯＲＡ（１）は、ＲＡＭアドレスＲＡＭＡ（１）と同じく、サンプリング点ＳＰ６の位置となる。
ここで、ＲＡＭ補正アドレスＲＡＭＣＯＲＡ（１）と次のＲＡＭアドレスＲＡＭＡ（２）との間にはゼロ交差点アドレスは存在しないため、アドレスの補正を行う必要がない。従って、ＲＡＭアドレスＲＡＭＡ（２）とＲＡＭ補正アドレスＲＡＭＣＯＲＡ（２）とは一致し、サンプリング点ＳＰ１０の位置にＲＡＭ補正アドレスＲＡＭＣＯＲＡ（２）が発生することとなる。
【０１０１】
以下、同様にゼロ交差点が存在するときは、アドレスの補正を行い、存在しない場合は、補正を行わず、最適な位置にＲＡＭ補正アドレスを発生する。
つまり、アナログ映像信号Ｓ５０１のテレテキスト信号に位相ずれなどが発生していない正常な信号である場合、ＲＡＭアドレスＲＡＭＡ（ｉ）とＲＡＭ補正アドレスＲＡＭＣＯＲＡ（ｉ）とは一致する。
一方、アナログ映像信号Ｓ５０１に、図８に示すようにある地点で位相ずれ、ここでは、位相進みが発生した場合、ＲＡＭアドレスの補正を行わないと、抜き取りエラーを発生する。つまり、ＲＡＭアドレスに対して補正を行わない場合、ＲＡＭ補正アドレスＲＡＭＣＯＲＡ（ｉ−１）に抜き取り間隔値４．０３６を加算し、小数点以下を四捨五入して得たＲＡＭアドレスＲＡＭＡ（ｉ）は、サンプリング点ＳＰｎ+５の位置に発生するが、データとしては０を抜き取る必要があるところを、１を抜き取ってしまい、抜き取りエラーを発生してしまう。
【０１０２】
しかしながら、ＲＡＭアドレスに対して補正を行う場合、アドレス補正値ＡＣＯＲ（ｉ）は、ＲＡＭアドレスＲＡＭＡ（ｉ）からゼロ交差点アドレスＺＲＣＲＳＡ（ｉ）を減算した値５をサンプリング間隔の１／２の値２．０１８から減算した値−２．９８２となる。そして、ＲＡＭアドレスＲＡＭＡ（ｉ）にアドレス補正値ＡＣＯＲ（ｉ）を加算するとＲＡＭ補正アドレスＲＡＭＣＯＲＡ（ｉ）が算出され、ＲＡＭＡ（ｉ）から−２．９８２、四捨五入して−３戻ったサンプリング点ＳＰｎ+２の位置にＲＡＭ補正アドレスＲＡＭＣＯＲＡ（ｉ）を発生する。これにより、ＲＡＭのアドレスがＳＰｎ+５の位置からＳＰｎ+２に位置に補正され、補正を行わなかった場合に誤って１を抜き取っていたが、正しく０を抜き取ることができる。
【０１０３】
なお、図８では位相進みに関する説明であったが、位相遅れに対しては、アドレス補正値ＡＣＯＲが正数となり、位相遅れ分を補正することにより、正確な文字放送データを抜き取ることができる。また、文字放送信号がテレテキスト信号でない場合、文字放送の種別を判定し、その種別に応じた抜き取り間隔を算出し、位相ずれを発生したとき、適応的にＲＡＭアドレスを補正することにより、正確な抜き取りが可能となる。
【０１０４】
このような実施の形態３によるデータ信号抜き取り装置では、外部からシリアル伝送された入力映像信号Ｓ５０１をディジタル化後、２値化信号Ｓ５０８に変換しＲＡＭ５１４に格納しておき、ディジタル映像信号Ｓ５０２に重畳された文字放送信号に相当するＲＡＭアドレスＳ５０９を算出し、信号に位相ずれが発生したとき、瞬時に位相ずれを検出してアドレス補正値Ｓ５１５を算出して上記ＲＡＭアドレス補正値Ｓ５１３を算出し、該ＲＡＭアドレス補正値Ｓ５１３に対応するデータをＲＡＭ５１４に格納された信号Ｓ５０８から抜き取るようにしたので、入力映像信号が途中で位相ずれを発生したとき、瞬時に位相ずれ量を検出して最適な抜き取りアドレスを得ることができ、その結果、群遅延等により伝送系に歪みを受けた信号に対して、波形等化などの大規模な回路を必要とすることなく、簡単な回路構成で正確な抜き取りを行うことができる。
なお、本実施の形態３に係るデータ信号抜き取り装置は、抜き取り処理をハードウェアによる構成で示したが、同様の処理をソフトウェアにより実施しても同様の効果が得られる。
【０１０５】
（実施の形態４）
以下、本発明の実施の形態４によるデータ信号抜き取り装置について図９及び図１０を用いて説明する。
図９は、本実施の形態４にかかるデータ信号抜き取り装置の構成を示すブロック図である。
図９において、映像信号入力端子９０１は、垂直帰線期間に文字放送データが重畳されたアナログ映像信号Ｓ９０１を入力する。
Ａ／Ｄ変換機９０２は、アナログ映像信号Ｓ９０１を所定のサンプリングクロックｆｓ（ＭＨｚ）でサンプリングし、ディジタル映像信号Ｓ９０２に変換し、ローパスフィルタ（ＬＰＦ）９０３に出力する。
ＬＰＦ９０３は、入力されたディジタル映像信号Ｓ９０２に対してノイズ除去処理を施し、スライスレベル算出回路９０５とクロックランイン（ＣＲＩ）検出回路９０６と文字放送方式検出回路９０７とに出力する。
【０１０６】
同期分離回路９０４は、入力されたディジタル映像信号Ｓ９０２から水平同期信号Ｓ９０４ａと垂直同期信号Ｓ９０４ｂを分離し、ＣＲＩ検出回路９０６に出力する。なお、水平同期信号Ｓ９０４ａ及び垂直同期信号Ｓ９０４ｂは、ＣＲＩ期間等の位置を検出するために用いられる。
スライスレベル算出回路９０５は、上記ノイズ除去されたディジタル映像信号Ｓ９０３内の所定のライン及び所定の位置の文字放送データから最適なスライスレベルＳ９０５を算出し、データ補間回路９０８に出力する。
ＣＲＩ検出回路９０６は、水平同期信号Ｓ９０４ａ及び垂直同期信号Ｓ９０４ｂを用いて上記ノイズ除去されたディジタル映像信号Ｓ９０３のＣＲＩ期間の位置を検出し、ＣＲＩ検出信号Ｓ９０６として文字放送方式検出回路９０７及び補正量算出回路９１４に出力する。
【０１０７】
文字放送方式検出回路９０７は、上記ＣＲＩ検出信号Ｓ９０６に基づいて上記ノイズ除去されたディジタル映像信号Ｓ９０３のＣＲＩ周期を算出し、該算出した周期より文字放送方式の種別を判定し、文字放送方式パルスＳ９０７として抜き取り間隔算出回路９０９に出力する。
データ補間回路９０８は、上記ノイズ除去されたディジタル映像信号Ｓ９０３から原信号Ｓ９０８ａと、これをα倍（αは整数値で、以下これを補間係数とする）のデータとなるように補間する補間信号Ｓ９０８ｂとを生成し、２値化回路９１０に出力する。
【０１０８】
抜き取り間隔算出回路９０９は、上記文字放送方式パルスＳ９０７に基づいて最適な抜き取り間隔データＳ９０９を算出し、補正量算出回路９１４及び抜き取り間隔補正回路９１５に出力する。なお、抜き取り間隔データＳ９０９は、サンプリングクロックｆｓと各種文字放送方式の伝送クロックとの比から算出することができる。文字放送の伝送クロックをｆｃｈｒ、補間係数αとすると、抜き取り間隔データＳ９０９は、α×ｆｓ／ｆｃｈｒで求めることができる。ｆｓがｆｃｈｒの整数倍であれば、抜き取り間隔データＳ９０９は整数となるが、本実施例では、整数倍である必要はないため、抜き取り間隔データＳ９０９は小数となる。
【０１０９】
２値化回路９１０は、データ補間回路９０８で生成された原信号Ｓ９０８ａ及び補間信号Ｓ９０８ｂの各々を、スライスレベル算出回路９０５で算出されたスライスレベルＳ９０５で０と１の２値化原信号Ｓ９１０ａ及び２値化補間信号Ｓ９１０ｂに変換し、データ選択回路９１１及びゼロ交差点検出回路９１２に出力する。
データ選択回路９１１はデータ選択パルスＳ９１６に基づいて２値化原信号Ｓ９１０ａ、２値化補間信号Ｓ９１０ｂのいずれかデータを選択し、抜き取り回路９１８に出力する。
【０１１０】
ゼロ交差点検出回路９１２は、２値化原信号Ｓ９１０ａ及び２値化補間信号Ｓ９１０ｂを用いて、０から１、及び１から０に変化するときのゼロ交差点を検出し、ゼロ交差点データＳ９１２として位相ずれ量算出回路９１３及び補正量算出回路９１４に出力する。
位相ずれ量算出回路９１３は、ゼロ交差点データＳ９１２、抜き取りパルスＳ９１７、及びデータ選択パルスＳ９１６を用いて、ゼロ交差点データＳ９１２と抜き取りパルスＳ９１７との位相ずれ量Ｓ９１３を算出し、補正量算出回路９１４に出力する。
補正量算出回路９１４は、上記位相ずれ量データＳ９１３に応じて抜き取り間隔データＳ９０９を補正し、補正量データＳ９１４として抜き取り間隔補正回路９１５に出力する。
【０１１１】
ここで、位相ずれ量データＳ９１３に応じて算出される補正量データＳ９１４は、以下のような手順で算出される。
位相遅れや位相進みがないような正常な信号の場合、ゼロ交差点データＳ９１２と抜き取りパルスＳ９１７との位相差、すなわち位相ずれ量データＳ９１３は、抜き取り間隔データＳ９０９の１／２の値となるはずである。
【０１１２】
一方、信号に位相遅れが生じた場合、位相ずれ量データＳ９１３は、抜き取り間隔データＳ９０９の１／２の値より大きくなり、また、位相進みが生じた場合、位相ずれ量データＳ９１３は、抜き取り間隔データＳ９０９の１／２の値より小さくなる。したがって、補正量算出回路９１４では、抜き取り間隔データＳ９０９の１／２の値から位相ずれ量データＳ９１３を減算した値を補正量データＳ９１４とする。これにより、補正量データＳ９１４が正数の場合は位相遅れ、負数の場合は位相進みとなる。
【０１１３】
抜き取り間隔補正回路９１５は、上記補正量データＳ９１４に基づいて抜き取り間隔データＳ９０９を補正し、抜き取り間隔補正データＳ９１５としてデータ選択パルス生成回路９１６及び抜き取りパルス生成回路９１７に出力する。なお、抜き取り間隔データＳ９０９は小数で表されるため、抜き取り間隔補正データも小数となる。
データ選択パルス生成回路９１６は、上記抜き取り間隔補正データＳ９１５の小数部の値に基づいて２値化原信号Ｓ９１０ａ，あるいは２値化補間信号Ｓ９１０ｂのいずれのデータを選択するかを決定するデータ選択パルスＳ９１６を生成し、データ選択回路９１１及び位相ずれ量算出回路９１３に出力する。
【０１１４】
抜き取りパルス生成回路９１７は、上記抜き取り間隔補正データＳ９１５の整数部の値に基づいて最適な位置に抜き取りパルスＳ９１７を生成し、位相ずれ量算出回路９１３及び抜き取り回路９１８に出力する。
抜き取り回路９１８は、上記抜き取りパルスＳ９１７に基づいてデータ選択回路９１１で選択された２値化信号Ｓ９１１から文字放送データＳ９１８を抜き取り、デコード回路９１９に出力する。
デコード回路９１９は、上記抜き取り回路９１８で抜き取られたシリアルの文字放送データＳ９１８をパラレルデータに変換し、文字放送の種別に応じた誤り訂正などのデコード処理を行い、出力端子９２０を介してデコード処理したデータＳ９１９を出力する。
【０１１５】
以上のように構成された、本実施の形態４によるデータ信号抜き取り装置の動作について図１０を用いて説明する。ここでは、文字放送データの種別をテレテキスト放送、サンプリングクロックｆｓを３５ＭＨｚ、補間係数αを２とした場合について説明する。
図１０は、本実施の形態４に係るデータ信号抜き取り装置の動作を説明するためのタイミング図である。図１０において、（ａ）はアナログ映像信号Ｓ９０１、（ｂ）は水平同期信号Ｓ９０４ａ、（ｃ）はＣＲＩ検出信号Ｓ９０６、（ｄ）は２値化原信号Ｓ９１０ａ、（ｅ）は２値化補間信号Ｓ９１０ｂ、（ｆ）はゼロ交差点データＳ９１２、（ｇ）は位相ずれ量データＳ９１３、（ｈ）は抜き取り間隔データＳ９０９、（ｉ）は補正量データＳ９１４、（ｊ）は抜き取り間隔補正データＳ９１５、（ｋ）は抜き取りパルスＳ９１７、（ｌ）はデータ選択パルスを示している。
【０１１６】
映像信号入力端子９０１から入力されるアナログ映像信号Ｓ９０１は、図１０（ａ）に示すように、水平同期信号、バースト信号、ＣＲＩ期間、文字放送の種類などを示すフレーミングコード期間、及び文字放送データを含んでいる。なお、白丸はアナログ映像信号Ｓ９０１をＡ／Ｄ変換器９０２でディジタル化した原信号を示し、黒丸はデータ補間回路９０８により生成された補間信号を示す。図１０（ａ）に示す原信号ＳＰ０と補間信号ＣＰ０とは同時刻に生成されるものである。
【０１１７】
時刻Ｔ１００１において、上記アナログ映像信号Ｓ９０１をＡ／Ｄ変換器９０２でディジタル化して得られたディジタル映像信号Ｓ９０２から、同期分離回路９０４により、図１０（ｂ）に示すような水平同期信号Ｓ９０４ａが分離される。
時刻Ｔ１００２において、上記ディジタル映像信号Ｓ９０２をＬＰＦ９０３によりノイズ除去して得られた信号Ｓ９０３から、ＣＲＩ検出回路９０６によりＣＲＩ期間が検出され、図１０（ｃ）に示すＣＲＩ検出信号Ｓ９０６が生成される。また、上記ノイズ除去して得られた信号Ｓ９０３から、データ補間回路９０８により図１０（ａ）の白丸で示す原信号Ｓ９０８ａと、これを２倍のデータとなるように線形補間して得られる図１０（ａ）の黒丸で示す補間信号Ｓ９０８ｂとが生成され、この原信号Ｓ９０８ａ及び補間信号Ｓ９０８ｂは、２値化回路９１０によりスライスレベル算出回路９０５から算出されるスライスレベルＳ９０５で２値化され、それぞれ図１０（ｃ）に示す２値化原信号Ｓ９１０ａと図１０（ｄ）に示す２値化補間信号Ｓ９１０ｂとが生成される。そして、ゼロ交差点検出回路９１２により、上記２値化原信号Ｓ９１０ａ及び２値化補間信号Ｓ９１０ｂが０から１、及び１から０に変化するゼロ交差点が検出され、図１０（ｅ）に示すゼロ交差点データＳ９１２が生成される。ここで、ゼロ交差点データＳ９１２とは、ゼロ交差点が全く存在しない場合は０または２、ゼロ交差点が２値化原信号Ｓ９１０ａに存在する場合は１、ゼロ交差点が２値化補間信号Ｓ９１０ｂに存在する場合は３を示すものである。
【０１１８】
時刻Ｔ１００３において、ＣＲＩ検出信号Ｓ９０６が１の期間で、ゼロ交差点データＳ９１２のＬＳＢ（Least Significant bit）が１となる点から、次のゼロ交差点データＳ９１２のＬＳＢが１となる点までのクロック数、すなわち周期を算出し、算出した周期がいずれかの文字放送方式に一致したとき、ここでは、テレテキスト放送に一致したとき、抜き取り間隔算出回路９０９にて図１０（ｈ）に示す抜き取り間隔データＳ９０９が生成される。なお、サンプリングクロックを３５ＭＨｚ、補間係数を２としたため、抜き取り間隔データＳ９０９は１０．０９となる。
時刻Ｔ１００４において、抜き取りパルス生成回路９１７及びデータ選択パルス生成回路９１６では、上記ゼロ交差点データＳ９１２を起点として上記抜き取り間隔データＳ９０９の１／２の位置に、図１０（ｋ）に示す抜き取りパルスＳ９１７、及び図１０（ｌ）に示すデータ選択パルスＳ９１６が生成される。
【０１１９】
なお、ゼロ交差点データＳ９１２が０または２の場合はゼロ交差点がないことを示し、１の場合はゼロ交差点が２値化原信号Ｓ９１０ａに存在することを示し、３の場合はゼロ交差点が２値化補間信号Ｓ９１０ｂに存在することを示す。また、データ選択パルスＳ９１６は、０の場合は２値化原信号Ｓ９１０ａの選択を示し、１の場合は２値化補間信号Ｓ９１０ｂの選択を示すものである。
【０１２０】
また、時刻Ｔ１００３におけるゼロ交差点データＳ９１２は３であるため、２値化補間信号Ｓ９１０ｂが起点となる。また、抜き取り間隔データＳ９０９の１／２の値は５．０４５であるため、時刻Ｔ１００３における２値化補間信号Ｓ９１０ｂを起点として、原信号と補間信号を含めて、５．０４５を四捨五入した５クロック分進んだ位置（時刻Ｔ１００４）に抜き取りパルスＳ９１７を発生する。この場合、選択されるのは原信号であるため、データ選択パルスＳ９１６は０となる。ＣＲＩ検出信号Ｓ９０６が１の期間は、同様の手順で抜き取りパルスＳ９１７を発生する。
時刻Ｔ１００５において、ＣＲＩ検出信号Ｓ９０６が０となると、抜き取りパルスＳ９１７及びデータ選択パルスＳ９１６を起点として、抜き取り間隔データＳ９０９で順次抜き取りパルスＳ９１７及びデータ選択パルスを発生する。
【０１２１】
しかし、ゼロ交差点を検出、すなわちゼロ交差点データＳ９１２が１又は３となる点を検出した場合、抜き取り間隔データＳ９０９に対して補正を行う。このとき、データ選択パルスＳ９１６は１であるため、2値化補間信号Ｓ９１０ｂが選択されることとなる。すなわち、時刻Ｔ１００５においては、データ選択パルスＳ９１６が１であるため、図１０（ａ）に示す補間信号ＣＰ１８が起点となる。
そして、補間信号ＣＰ１８から抜き取り間隔データＳ９０９の値１０．０９、四捨五入して１０クロック点進んだ補間信号ＣＰ２３の位置に次の抜き取りパルスが発生する。
【０１２２】
しかしながら、その間の時刻Ｔ１００６において、ゼロ交差点が存在するため、抜き取り間隔データＳ９０９は補正の対象となる。位相ずれ量データＳ９１３は、ゼロ交差点と該ゼロ交差点より前に位置する抜き取りパルスとの間隔から抜き取り間隔データＳ９０９の１／２の値を減算することにより算出することができる。したがって、時刻Ｔ１００６における位相ずれ量データＳ９１３は、時刻Ｔ１００６におけるゼロ交差点に位置する原信号ＳＰ２１と時刻Ｔ１００５における抜き取り点に位置する補間信号ＣＰ１８との間隔値５から、抜き取り間隔データＳ９０９の１／２の値５．０４５を減算した値−０．０４５となる。ここでは、簡単化のため位相ずれ量データＳ９１３の小数部は四捨五入した整数値を用いることとする。従って、位相ずれ量データＳ９１３は０となり、つまり、位相ずれを発生していないため、補正量データＳ９１４は０、抜き取り間隔補正データＳ９１５は抜き取り間隔データＳ９０９と同じ値１０．０９となり、時刻Ｔ１００７に抜き取りパルスＳ９１７及びデータ選択パルスＳ９１６を発生する。
ゼロ交差点データＳ９１２が０および２の場合、すなわちゼロ交差点が存在しない場合、抜き取り間隔データＳ９１５毎に時刻Ｔ１００８、Ｔ１００９、Ｔ１０１０に抜き取りパルスＳ９１７およびデータ選択パルスＳ９１６を発生する。
【０１２３】
時刻Ｔ１０１１において、２値化補間信号Ｓ９１０ｂと次の２値化原信号Ｓ９１０ａとの間にゼロ交差点が存在するため、位相ずれ量データＳ９１３を計算すると、０となる。よって補正量データＳ９１４も０となり、時刻Ｔ１０１２のとき、抜き取りパルスＳ９１７及びデータ選択パルスＳ９１６を発生する。
時刻Ｔ１０１３から時刻Ｔ１０１４の間にはゼロ交差点は存在しないため、それぞれに時刻において抜き取りパルスＳ９１７およびデータ選択パルスS９１６を発生する。
時刻Ｔ１０１４から時刻Ｔ１０１６の間には、時刻Ｔ１０１５にゼロ交差点が存在するが、位相ずれ量データＳ９１３および補正量データＳ９１４は０であるため、抜き取り間隔の補正は行われず、時刻Ｔ１０１６に抜き取りパルスＳ９１７およびデータ選択パルスＳ９１６を発生する。
【０１２４】
時刻Ｔ１０１６から時刻Ｔ１０１８の間には、時刻Ｔ１０１７にゼロ交差点が存在する。時刻Ｔ１０１６においては、図１０（ｋ）に示す抜き取りパルスＳ９１７と図１０（ｌ）に示すデータ選択パルスＳ９１６とから補間信号ＣＰ５８が選択されるので、時刻Ｔ１０１７におけるゼロ交差点と時刻Ｔ１０１６における抜き取りパルスとの位相ずれ量データは３となり、補正量データＳ９１４は−２となる。従って、抜き取り間隔補正データＳ９１５は８．０９となり、抜き取りパルスＳ９１７およびデータ選択パルスＳ９１６は時刻Ｔ１０１８で発生する。
ゼロ交差点が存在しない場合は、同様に時刻Ｔ１０１９、Ｔ１０２０で抜き取りパルスＳ９１７およびデータ選択パルスＳ９１６が発生する。
【０１２５】
ここで、図１０（ａ）に示すように群遅延などで正常な伝送信号に対して位相ずれ、図１０（ａ）においては位相進みが発生した場合について説明する。
時刻Ｔ１０２１において、原信号ＳＰｎが選択されるような抜き取りパルスＳ９１７とデータ選択パルスＳ９１６が発生した場合、次の抜き取りパルスＳ９１７及びデータ選択パルスＳ９１６は、時刻Ｔ１０２２の原信号ＳＰｎ+５が選択されるように発生する。また、時刻Ｔ１０２２における補間信号ＣＰｎ+５と時刻Ｔ１０２３における原信号ＳＰｎ+６との間にゼロ交差点が存在するため、位相ずれ量データＳ９１３は１と算出できる。したがって、補正量データＳ９１４は−４となり、抜き取り間隔補正データＳ９１５は６．０９、つまり、整数値で６となり、時刻Ｔ１０２４のとき抜き取りパルスＳ９１７及びデータ選択パルスＳ９１６を発生する。
【０１２６】
以下同様にゼロ交差点が存在する毎に、上述の処理と同様の処理を行うことにより、位相ずれ量データＳ９１３、補正量データＳ９１４及び抜き取り間隔補正データＳ９１５を算出し、抜き取りパルスＳ９１７及びデータ選択パルスＳ９１６を発生させる。これにより、図１０（ａ）に示すような文字放送データに位相進みを発生した場合、抜き取り間隔を補正することにより、位相進み分を補正し、抜き取り回路９１８において抜き取りエラーを起こすことなく、入力映像信号から文字放送データＳ９１８を正確に抜き取ることができる。
そして、抜き取られた文字放送データＳ９１８は、デコード回路９１９にてデコード処理され、表示回路（図示しない）に出力される。これにより、文字放送の種別に応じた表示を行うことができる。
なお、図１０では位相進みに関する説明であったが、位相遅れに対しては、補正量データＳ９１４は正数となり、位相遅れ分を補正することで、入力映像信号からの文字放送データの抜き取りを正確に行うことができる。
【０１２７】
このような実施の形態４によるデータ信号抜き取り装置では、ディジタル映像信号をデータ等が整数倍となるように補間する補間データを作成するデータ補間回路９０８を備え、２値化回路９１０により上記ディジタル映像信号と上記補間データとを２値化した２値化信号内の文字放送信号の位置を検出し、このデータ位置をデータ抜き取り位置として指定する抜き取りパルスを生成するようにしたので、群遅延等により伝送系に歪みを受けた信号に対して回路規模を増大させることなく、より高精度にデータを抜き取ることができるデータ信号抜き取り装置を提供可能である。
【０１２８】
また、文字放送方式の種別を判定し、その種別とサンプリングクロックの周波数とから抜き取りパルスを発生するようにしたので、欧州のテレテキスト放送だけでなく、ＶＰＳ、ＷＳＳ、日本の文字多重放送、電子プログラミング案内（略して、ＥＰＧ）、米国のクローズドキャプション放送にも対応して抜き取りを行うことができ、本実施の形態４に係るデータ信号抜き取り装置１つで、全世界の文字放送方式に対応することができる。
【０１２９】
なお、上記実施の形態４においては、データ補間回路による補間として、データ量が２倍となる２倍補間を用いたが、３倍補間、４倍補間、５倍補間、８倍補間などのｎ倍補間（ｎは整数）においても適用できるものであり、ｎが大きくなれば、２値化回路９１０から出力される２値化補間信号Ｓ９１０ｂが増加することになり、精度が良くなる。
また、上記実施の形態４においては、補間方式に線形補間を用いたが、本発明においては補間方式としては、２次畳み込み補間、ラグランジェ補間などのその他の方式を用いても同様の効果が得られる。
【０１３０】
（実施の形態５）
以下、本発明の実施の形態５によるデータ信号抜き取り装置について図１１及び図１２を用いて説明する。
図１１は、本実施の形態５にかかるデータ信号抜き取り装置の構成を示すブロック図である。
図１１において、映像信号入力端子１１０１は、垂直帰線期間に文字放送データが重畳されたアナログ映像信号Ｓ１１０１を入力する。
Ａ／Ｄ変換器１１０２は、上記アナログ映像信号Ｓ１１０１を所定のサンプリングクロックｆｓ（ＭＨｚ）でサンプリングしてディジタル映像信号Ｓ１１０２に変換し、ローパスフィルタ（ＬＰＦ）１１０３及び同期分離回路１１０４に出力する。
【０１３１】
ＬＰＦ１１０３は、入力されたディジタル映像信号Ｓ１１０２に対しノイズ除去処理を施し、スライスレベル算出回路１１０５とクロックランイン（ＣＲＩ）検出回路１１０６と２値化回路１１０８とゼロ交差点検出回路１１１２とに出力する。
同期分離回路１１０４は、入力されたディジタル映像信号Ｓ１１０２から水平同期信号Ｓ１１０４ａと垂直同期信号Ｓ１１０４ｂを分離し、ＣＲＩ検出回路１１０６に出力する。なお、水平同期信号Ｓ１１０４ａ及び垂直同期信号Ｓ１１０４ｂは、ＣＲＩ期間等の位置を求めるために用いられる。
【０１３２】
スライスレベル算出回路１１０５は、上記ノイズ除去されたディジタル映像信号Ｓ１１０３内の所定のライン及び所定の位置の文字放送データから最適なスライスレベルＳ１１０５を算出し、２値化回路１１０８及びゼロ交差点検出回路１１１２に出力する。
ＣＲＩ検出回路１１０６は、垂直同期信号Ｓ１１０４ｂ及び水平同期信Ｓ１１０４ａを用いて上記ノイズ除去されたディジタル映像信号Ｓ１１０３のＣＲＩ期間の位置を検出し、ＣＲＩ検出信号Ｓ１１０６として文字放送方式検出回路１１０７及び補正量算出回路１１１４に出力する。
【０１３３】
文字放送方式検出回路１１０７は、上記ＣＲＩ検出信号Ｓ１１０６に基づいて上記ノイズ除去されたディジタル映像信号Ｓ１１０３のＣＲＩ周期を算出し、該算出した周期より文字放送方式の種別を判定し、文字放送方式パルスＳ１１０７として抜き取り間隔算出回路１１０９に出力する。
２値化回路１１０８は、スライスレベル算出回路１１０５で算出されたスライスレベルＳ１１０５で上記ノイズ除去されたディジタル映像信号Ｓ１１０３を０と１の２値化信号Ｓ１１０８に変換し、抜き取り回路１１１５に出力する。
【０１３４】
抜き取り間隔算出回路１１０９は、上記文字放送方式パルスＳ１１０７に基づいて最適な抜き取り間隔データＳ１１０９を算出し、抜き取り間隔補正回路１１１０及び補正量算出回路１１１４に出力する。なお、抜き取り間隔データＳ１１０９は、サンプリングクロックｆｓと各種文字放送方式の伝送クロックとの比から算出することができる。すなわち、文字放送方式の種別とサンプリングクロックの周波数とが判明すれば、抜き取り間隔データＳ１１０９は求めることができる。なお、抜き取り間隔データＳ１１０９の単位は、サンプリングクロック数である。
抜き取り間隔補正回路１１１０は、上記補正量データＳ１１１４に基づいて抜き取り間隔データＳ１１０９を補正し、抜き取り間隔補正データＳ１１１０として抜き取りパルス生成回路１１１１に出力する。
【０１３５】
抜き取りパルス生成回路１１１１は、上記抜き取り間隔補正データに基づいて最適な位置に抜き取りパルスＳ１１１１を生成し、位相ずれ量算出回路１１１３及び抜き取り回路１１１５に出力する。
ゼロ交差点検出回路１１１２は、上記ノイズ除去されたディジタル映像信号Ｓ１１０３内でスライスレベルＳ１１０５の値と一致する位置を検出し、ゼロ交差点データＳ１１１２として位相ずれ量算出回路１１１３及び補正量算出回路１１１４に出力する。
【０１３６】
位相ずれ量算出回路１１１３は、ゼロ交差点位置データＳ１１１２と抜き取りパルスＳ１１１０との位相差から位相ずれ量データＳ１１１３を算出し、補正量算出回路１１１４に出力する。なお、位相ずれ量データＳ１１１３の単位は、サンプリングクロック数である。
補正量算出回路１１１４は、上記位相ずれ量データＳ１１１３に応じて抜き取り間隔の補正量データＳ１１１４を算出し、抜き取り間隔補正回路１１１０に出力する。なお、補正量算出回路１１１４は、位相ずれ量データＳ１１１３に応じて変化するルックアップテーブルで構成すれば良い。
【０１３７】
ここで、位相ずれ量データＳ１１１３に応じて算出される補正量データＳ１１１４は、以下のような手順で算出される。
位相遅れや位相進みがないような正常な信号の場合、ゼロ交差点データＳ１１１２と抜き取りパルスＳ１１１１の位置との位相差、すなわち位相ずれ量データＳ１１１３は、抜き取り間隔データＳ１１０９の１／２の値となる。
一方、信号に位相遅れが生じた場合、位相ずれ量データＳ１１１３は、抜き取り間隔データＳ１１０９の１／２の値より大きくなり、位相進みが生じた場合、小さくなる。したがって、補正量算出回路１１１４では、抜き取り間隔データＳ１１０９の１／２の値から位相ずれ量データＳ１１１３を減算した値を補正量データＳ１１１４とする。これにより、補正量データＳ１１１４が正数の場合は位相遅れ、負数の場合は位相進みとなる。
【０１３８】
なお、補正量データＳ１１１４を、位相ずれ量データＳ１１１３から抜き取り間隔データＳ１１０９の１／２の値を減算した値とした場合、補正量データＳ１１１４が正数の場合は位相進み、負数の場合は位相遅れとなる。
抜き取り回路１１１５は、抜き取りパルスＳ１１１１に基づいて２値化信号Ｓ１１０８から文字放送データＳ１１１５を抜き取り、デコード回路１１１６に出力する。
デコード回路１１１６は、抜き取り回路１１１５で抜き取られたシリアルの文字放送データＳ１１１５をパラレルデータに変換し、文字放送の種別に応じた誤り訂正などのデコード処理を行い、デコード処理したデータＳ１１１６を出力端子１１１７を介して外部へ出力する。
【０１３９】
以上のように構成された、本実施の形態５によるデータ信号抜き取り装置の動作について図１２を用いて説明する。ここでは、文字放送データの種別をテレテキスト放送とした場合について説明する。
図１２は、本実施の形態５に係るデータ信号抜き取り装置の動作を説明するためのタイミング図である。図１２において、（ａ）はアナログ映像信号Ｓ１１０１、（ｂ）は水平同期信号Ｓ１１０４ａ、（ｃ）はＣＲＩ検出信号Ｓ１１０６、（ｄ）は２値化信号Ｓ１１０８、（ｅ）はゼロ交差点データＳ１１１２、（ｆ）は位相ずれ量データＳ１１１３、（ｇ）は抜き取り間隔データＳ１１０９、（ｈ）は補正量データＳ１１１４、（ｉ）は抜き取り間隔補正データＳ１１１０、（ｊ）は抜き取りパルスＳ１１１１を示している。
【０１４０】
映像信号入力端子１１０１から入力されるアナログ映像信号Ｓ１１０１は、図１２（ａ）に示すように、水平同期信号、バースト信号、ＣＲＩ期間、文字放送の種類などを示すフレーミングコード期間、及び文字放送データを含んでいる。
【０１４１】
時刻Ｔ１２０１において、上記アナログ映像信号Ｓ１１０１をＡ／Ｄ変換器１１０２でディジタル化して得られたディジタル映像信号Ｓ１１０２から、同期分離回路１１０４により、図１２（ｂ）に示すような水平同期信号Ｓ１１０４ａが分離される。
【０１４２】
時刻Ｔ１２０２において、上記ディジタル映像信号Ｓ１１０２をＬＰＦ１１０３によりノイズ除去して得られた信号Ｓ１１０３から、ＣＲＩ検出回路１１０６によりＣＲＩ期間が検出され、図１２（ｃ）に示すＣＲＩ検出信号Ｓ１１０６が生成される。また、上記ノイズ除去して得られた信号Ｓ１１０３を、スライスレベル算出回路１１０５から算出されるスライスレベルＳ１１０５に基づいて２値化回路１１０８により２値化し、図１２（ｄ）に示す２値化信号Ｓ１１０８が生成される。
【０１４３】
時刻Ｔ１２０３において、ゼロ交差点検出回路１１１２により、スライスレベルＳ１１０５と一致する位置、すなわちスライスレベルＳ１１０５を横切る位置が検出されると、図１２（ｅ）に示すゼロ交差点位置データＳ１１１２として生成される。なお、ゼロ交差点位置データＳ１１１２は、スライスレベルＳ１１０５がサンプリング点と一致した場合は整数となるが、サンプリング点と一致しない場合はスライスレベルＳ１１０５で交わる前後のサンプリング点を用いて補間することによりゼロ交差点位置を算出するため、通常は小数となる。
【０１４４】
時刻Ｔ１２０３において、ＣＲＩ検出信号Ｓ１１０６が１の期間で、ゼロ交差点位置データＳ１１１２の位置間隔、すなわち周期を算出し、その周期がいずれかの文字放送方式に一致した場合、ここでは、テレテキスト放送に一致した場合、抜き取り間隔算出回路１１０９により、図１２（ｇ）に示す抜き取り間隔データＳ１１０９が生成される。
【０１４５】
時刻Ｔ１２０４において、抜き取りパルス生成回路１１１１では、ゼロ交差点位置データＳ１１１２が示す位置である時刻Ｔ１２０３を起点として抜き取り間隔データの１／２の位置に、図１２（ｊ）に示す抜き取りパルスＳ１１１１が生成される。そして、位相ずれ量算出回路１１１３では、図１２（ｅ）に示すゼロ交差点位置データＳ１１１２と図１２（ｊ）に示す抜き取りパルスＳ１１１１との位相差が図１２（ｆ）に示す位相ずれ量データＳ１１１３としてゼロ交差点位置データＳ１１１２が検出されるごとに算出される。
【０１４６】
文字放送データが重畳されたアナログ映像信号Ｓ１１０１に群遅延などで発生する位相ずれなどの波形歪みが発生しない場合、位相ずれ量データＳ１１１３は、抜き取り間隔データＳ１１０９の１／２と等しくなる。つまり、補正量算出回路１１１４において、位相ずれ量データＳ１１１３から抜き取り間隔データＳ１１０９の１／２の値を減算した値を補正量データＳ１１１４とした場合、図１２（ｈ）に示す補正量データＳ１１１４は０となる。したがって、時刻Ｔ１２０４から時刻Ｔ１２０５の間は位相ずれを発生していないため、時刻Ｔ１２０４で生成した抜き取りパルスを起点として抜き取り間隔データＳ１１０９の幅で、図１２（ｉ）に示すような抜き取りパルスＳ１１１１が生成される。
【０１４７】
時刻Ｔ１２０５において、上記アナログ映像信号Ｓ１１０１に群遅延などで位相ずれが発生した場合、時刻Ｔ１２０５における抜き取りパルスＳ１１１１と時刻Ｔ１２０６におけるゼロ交差点データＳ１１１２との位相ずれ量データＳ１１１３は、抜き取り間隔データＳ１１０９の１／２の値とは等しくならず、数クロック分ずれた値となるため、補正量算出回路１１１４では、位相ずれ量データＳ１１１３に基づいて補正量が算出される。
【０１４８】
ここで、抜き取り間隔データＳ１１０９の１／２の値（以下、正常値とする）をφｎとし、位相ずれ量データＳ１１１３から正常値φｎを減算した差分値を補正量データＳ１１１４とすると、位相遅れの場合、位相ずれ量データＳ１１１３は正常値φｎより大きくなるため、補正量は正数となり、位相進みの場合、位相ずれ量データＳ１１１３は正常値φｎより小さくなるため、補正量は負数となる。
【０１４９】
このようにして求めた補正量データＳ１１１４を抜き取り間隔データＳ１１０９に加算した値を抜き取り間隔補正データＳ１１１０とすると、図１２に示した位相遅れの場合、抜き取り間隔補正データＳ１１１０は、抜き取り間隔データＳ１１０９より大きくなり、抜き取りパルスＳ１１１１は時刻Ｔ１２０７の位置に生成される。このように、文字放送データが位相遅れを発生したとき、抜き取り間隔を補正することにより、時刻Ｔ１２０７における位相遅れ分を補正し、抜き取り回路１１１４において抜き取りエラーをおこすことなく、入力映像信号から文字放送データＳ１１１５を正確に抜き取ることができる。
そして、抜き取られた文字放送データＳ１１１５は、デコード回路１１１６にてデコード処理され、表示回路（図示しない）に出力される。これにより、文字放送の種別に応じた表示を行うことができる。
【０１５０】
なお、図１２では位相遅れに関する説明であったが、位相進みに対しては、抜き取り間隔補正データＳ１１１０は抜き取り間隔データＳ１１０９より小さくなるため、位相進み分を補正することにより、入力映像信号から文字放送データの抜き取りを正確に行うことができる。
また、上記図１２の説明では、補正量を位相ずれ量データＳ１１１３から正常値φｎを減算した値としたが、逆に、補正量を正常値φｎから位相ずれ量データＳ１１１３を減算した値として、抜き取り間隔データＳ１１０９から減算した値を抜き取り間隔補正データＳ１１１０としても全く同様の効果が得られる。
また、文字放送信号がテレテキスト信号でない場合も上記と同様に、文字放送の種別を判定し、その種別に応じた抜き取り間隔データＳ１１０９を算出し、位相ずれを発生したとき、適応的に抜き取り間隔を補正することにより、正確な抜き取りが可能となる。
【０１５１】
このような実施の形態５によるデータ信号抜き取り装置では、外部からシリアル伝送された入力映像信号Ｓ１１０１に位相ずれが発生したとき、瞬時に位相ずれ量Ｓ１１１３を算出し、その位相ずれ量Ｓ１１１３に応じて抜き取り間隔データＳ１１０９を補正し、抜き取りパルスＳ１１１１を発生するようにしたので、信号が途中で位相ずれを発生したとき、瞬時に位相ずれ量を算出し、その位相ずれ量に応じて抜き取り間隔データを調整して最適な位置に抜き取りパルスを発生させることができ、その結果、群遅延等により伝送系に歪みを受けた信号に対して回路規模を増大させることなく、高精度にデータを抜き取ることができるデータ信号抜き取り装置を提供可能である。
【０１５２】
また、文字放送方式の種別を判定し、その種別とサンプリングクロックの周波数とから抜き取りパルスを発生するようにしたので、欧州のテレテキスト放送だけでなく、ＶＰＳ、ＷＳＳ、日本の文字多重放送、電子プログラミング案内（略して、ＥＰＧ）、米国のクローズドキャプション放送にも対応して抜き取りを行うことができ、本実施の形態５に係るデータ信号抜き取り装置１つで、全世界の文字放送方式に対応することができる。
【０１５３】
【発明の効果】
以上のように、本発明に記載のデータ信号抜き取り装置によれば、外部からシリアル伝送された入力映像信号から所定のデータ信号、例えば、該入力映像信号の垂直帰線期間に重畳された文字放送信号を抜き取るデータ信号抜き取り装置において、上記入力映像信号を所定の周波数のサンプリングクロックでサンプリングし、ディジタル映像信号に変換するＡ／Ｄ変換手段と、上記ディジタル映像信号から上記入力映像信号の０または１を判定するためのスライスレベルを算出するスライスレベル算出手段と、上記ディジタル映像信号を上記スライスレベルを用いて２値化信号に変換する２値化手段と、上記ディジタル映像信号から上記データ信号を抜き取るための抜き取り間隔値を算出する抜き取り間隔算出手段と、上記２値化信号の０から１、または１から０に変化する点であるゼロ交差点を検出するゼロ交差点検出手段と、上記ゼロ交差点に基づいて上記データ信号の位相ずれ量を算出する位相ずれ量算出手段と、上記位相ずれ量に応じて上記抜き取り間隔値の補正量を算出する補正量算出手段と、上記補正量に応じて上記抜き取り間隔値の補正を行い、抜き取り間隔補正値を算出する抜き取り間隔補正手段と、所定の抜き取り位置を起点として、順番に、上記抜き取り間隔補正値に近い間隔を隔てて位置する上記２値化信号内の上記文字放送信号の位置を算出し、この文字放送信号の位置をデータ抜き取り位置として指定する抜き取りパルスを生成する抜き取りパルス発生手段と、上記抜き取りパルスに基づいて上記２値化信号から上記文字放送信号を抜き取る抜き取り手段とを備えたことより、信号が途中で位相ずれを発生したとき、瞬時に位相ずれ量を算出し、その位相ずれ量に応じて抜き取り間隔値を調整して最適な位置に抜き取りパルスを発生させることができ、その結果、群遅延等により伝送系に歪みを受けた信号に対して回路規模を増大させることなく、高精度にデータを抜き取ることができるデータ信号抜き取り装置を提供可能である。
【０１５４】
また、この発明によれば、上記データ信号抜き取り装置において、上記ディジタル映像信号のクロックランインの期間を検出するＣＲＩ検出手段と、上記クロックランイン期間内の上記入力映像信号のクロックランイン周期を算出し、該算出した周期に基づいて上記入力映像信号の文字放送方式の種別を検出する文字放送方式検出手段とを備え、上記抜き取り間隔算出手段は、上記検出された文字放送方式の種別に応じて上記抜き取り間隔値を算出するようにしたので、欧州のテレテキスト放送だけでなく、ＶＰＳ、ＷＳＳ、日本の文字多重放送、電子プログラミング案内（略して、ＥＰＧ）、米国のクローズドキャプション放送にも対応して抜き取りを行い、全世界の文字放送方式に対応したデータ信号抜き取り装置を実現可能である。
【０１５５】
また、本発明に記載のデータ信号抜き取り装置によれば、外部からシリアル伝送された入力映像信号から所定のデータ信号、例えば、該入力映像信号の水力帰線期間に重畳された文字放送信号を抜き取るデータ信号抜き取り装置において、上記入力映像信号を所定の周波数のサンプリングクロックでサンプリングし、ディジタル映像信号に変換するＡ／Ｄ変換手段と、上記ディジタル映像信号から上記入力映像信号の０または１を判定するためのスライスレベルを算出するスライスレベル算出手段と、上記ディジタル映像信号を上記スライスレベルを用いて２値化信号に変換する２値化手段と、上記ディジタル映像信号から上記データ信号を抜き取るための抜き取り間隔値を算出する抜き取り間隔算出手段と、上記２値化信号の０から１、または１から０に変化する点であるゼロ交差点を検出するゼロ交差点検出手段と、上記サンプリングクロックの数をカウントするカウンタ手段と、上記ゼロ交差点の検出に応じて上記カウンタ手段のカウント値を取り込むカウンタ値取り込み手段と、上記カウンタ値取り込み手段により取り込んだカウンタ値と上記抜き取り間隔値とを用いて信号の位相ずれ量を算出し、該位相ずれ量に応じて上記抜き取り間隔値を補正する演算手段と、上記演算手段の演算結果と上記カウンタ手段のカウンタ値とを比較する比較手段と、上記比較手段の出力に基づいて抜き取りパルスを発生する抜き取りパルス発生手段と、上記抜き取りパルスに基づいて上記２値化信号から上記文字放送信号を抜き取る抜き取り手段とを備えたことより、信号が途中で位相ずれを発生したとき、瞬時に位相ずれ量を算出し、その位相ずれ量に応じて抜き取り間隔値を調整して最適な位置に抜き取りパルスを発生させることができ、その結果、群遅延等により伝送系に歪みを受けた信号に対して回路規模を増大させることなく、高精度にデータを抜き取ることができるデータ信号抜き取り装置を提供可能である。
【０１５６】
また、この発明によれば、上記データ信号抜き取り装置において、上記ディジタル映像信号のクロックランインの期間を検出するＣＲＩ検出手段と、上記クロックランイン期間内の上記入力映像信号のクロックランイン周期を算出し、該算出した周期に基づいて上記入力映像信号の文字放送方式の種別を検出する文字放送方式検出手段とを備え、上記抜き取り間隔算出手段は、上記検出された文字放送方式の種別に応じて上記抜き取り間隔値を算出するようにしたので、欧州のテレテキスト放送だけでなく、ＶＰＳ、ＷＳＳ、日本の文字多重放送、電子プログラミング案内（略して、ＥＰＧ）、米国のクローズドキャプション放送にも対応して抜き取りを行い、全世界の文字放送方式に対応したデータ信号抜き取り装置を実現可能である。
【０１５７】
また、本発明に記載のデータ信号抜き取り装置によれば、外部からシリアル伝送された入力映像信号から所定のデータ信号、例えば、該入力映像信号の垂直帰線期間に重畳された文字放送信号を抜き取るデータ信号抜き取り装置において、上記入力映像信号を所定の周波数のサンプリングクロックでサンプリングし、ディジタル映像信号に変換するＡ／Ｄ変換手段と、上記ディジタル映像信号から上記入力映像信号の０または１を判定するためのスライスレベルを算出するスライスレベル算出手段と、上記ディジタル映像信号を上記スライスレベルを用いて２値化信号に変換する２値化手段と、上記２値化信号を格納する格納手段と、上記ディジタル映像信号から上記文字放送信号を抜き取るための抜き取り間隔値を算出する抜き取り間隔算出手段と、上記格納手段に格納されている２値化信号の０から１、また１から０に変化する点であるゼロ交差点のアドレスを検出するゼロ交差点アドレス検出手段と、上記抜き取り間隔値に応じて上記格納手段に格納されている２値化信号のうちの上記データ信号に相当する抜き取りアドレスを算出するアドレス算出手段と、上記ゼロ交差点アドレスと上記抜き取り間隔値とを用いて初期アドレスを算出する初期アドレス算出手段と、上記入力映像信号の位相ずれが起きたときの上記抜き取りアドレスを補正するためのアドレス補正値を算出するアドレス補正値算出手段と、上記アドレス補正値に基づいて上記アドレス算出手段にて得られた抜き取りアドレスを補正するアドレス補正手段と、を備え、上記格納手段は、上記アドレス補正手段により補正された抜き取りアドレスに基づいて上記格納しているディジタル映像信号から上記文字放送信号を抜き出すようにしたので、信号が途中で位相ずれを発生したとき、瞬時に位相ずれを検出して、その位相ずれをアドレス補正値により補正し、該アドレス補正値に基づいて、ＲＡＭなどの格納手段に格納されているディジタル映像信号のうちの最適な位置のデータを抜き取ることができ、その結果、群遅延等により伝送系に歪みを受けた信号に対して回路規模を増大させることなく、高精度にデータを抜き取ることができるデータ信号抜き取り装置を提供可能である。
【０１５８】
また、この発明によれば、上記データ信号抜き取り装置において、上記ディジタル映像信号のクロックランインの期間を検出するＣＲＩ検出手段と、上記クロックランイン期間の開始アドレスと終了アドレスとを算出するＣＲＩアドレス算出手段と、上記クロックランイン期間内の上記入力映像信号のクロックランイン周期を算出し、該算出した周期に基づいて上記入力映像信号の文字放送方式の種別を検出する文字放送方式検出手段とを備え、上記初期アドレス算出手段は、上記ＣＲＩアドレス算出手段の出力に基づいて上記クロックランイン期間内の上記ゼロ交差点の初期アドレスを算出し、上記抜き取り間隔算出手段は、上記検出された文字放送方式の種別に応じて上記抜き取り間隔値を算出するようにしたので、欧州のテレテキスト放送だけでなく、ＶＰＳ、ＷＳＳ、日本の文字多重放送、電子プログラミング案内（略して、ＥＰＧ）、米国のクローズドキャプション放送にも対応して抜き取りを行い、全世界の文字放送方式に対応したデータ信号抜き取り装置を実現可能である。
【０１５９】
また、本発明に記載のデータ信号抜き取り装置によれば、外部からシリアル伝送された入力映像信号から所定のデータ信号、例えば、該入力映像信号の垂直帰線期間に重畳された文字放送信号を抜き取るデータ信号抜き取り装置において、上記入力映像信号を所定の周波数のサンプリングクロックでサンプリングし、ディジタル映像信号に変換するＡ／Ｄ変換手段と、上記ディジタル映像信号のデータ量がα倍（αは整数）となるよう補間することにより補間データを作成する補間手段と、上記ディジタル映像信号から上記入力映像信号の０または１を判定するためのスライスレベルを算出するスライスレベル算出手段と、上記ディジタル映像信号及び上記補間データを上記スライスレベルを用いて２値化信号に変換する２値化手段と、上記ディジタル映像信号から上記文字放送信号を抜き取るための抜き取り間隔値を算出する抜き取り間隔算出手段と、上記ディジタル映像信号の２値化信号及び上記補間データの２値化信号の、０から１、または１から０に変化する点であるゼロ交差点を検出するゼロ交差点検出手段と、上記ゼロ交差点に基づいて上記データ信号の位相ずれ量を算出する位相ずれ量算出手段と、上記位相ずれ量に応じて上記抜き取り間隔値の補正量を算出する補正量算出手段と、上記補正量に応じて上記抜き取り間隔値の補正を行い、抜き取り間隔補正値を算出する抜き取り間隔補正手段と、所定の抜き取り位置を起点として、順番に、上記抜き取り間隔補正値に近い間隔を隔てて位置する上記ディジタル映像信号の２値化信号及び上記補間データの２値化信号内の上記文字放送信号の位置を算出し、このデータの位置をデータ抜き取り位置として指定する抜き取りパルスを生成する抜き取りパルス発生手段と、上記抜き取り間隔補正値に基づいて上記ディジタル映像信号の２値化信号、または上記補間データの２値化信号、のいずれかを選択するためのデータ選択パルスを生成するデータ選択パルス発生手段と、上記データ選択パルスに基づいて上記２値化信号のいずれかを選択するデータ選択手段と、上記抜き取りパルスに基づいて上記データ選択手段により選択された２値化信号から上記文字放送信号を抜き取る抜き取り手段とを備えたことより、信号が途中で位相ずれを発生したとき、瞬時に位相ずれ量を算出し、その位相ずれ量に応じて抜き取り間隔値を調整して最適な位置に抜き取りパルスを発生させることができ、その結果、群遅延等により伝送系に歪みを受けた信号に対して回路規模を増大させることなく、高精度にデータを抜き取ることができるデータ信号抜き取り装置を提供可能である。
【０１６０】
また、この発明によれば、上記データ信号抜き取り装置において、上記ディジタル映像信号のクロックランインの期間を検出するＣＲＩ検出手段と、上記クロックランイン期間内の上記入力映像信号のクロックランイン周期を算出し、該算出した周期に基づいて上記入力映像信号の文字放送方式の種別を検出する文字放送方式検出手段とを備え、上記抜き取り間隔算出手段は、上記検出された文字放送方式の種別に応じて上記抜き取り間隔値を算出するようにしたので、欧州のテレテキスト放送だけでなく、ＶＰＳ、ＷＳＳ、日本の文字多重放送、電子プログラミング案内（略して、ＥＰＧ）、米国のクローズドキャプション放送にも対応して抜き取りを行い、全世界の文字放送方式に対応したデータ信号抜き取り装置を実現可能である。
【０１６１】
また、本発明に記載のデータ信号抜き取り装置によれば、外部からシリアル伝送された入力映像信号から所定のデータ信号、該入力映像信号の垂直帰線期間に重畳された文字放送信号を抜き取るデータ信号抜き取り装置において、上記入力映像信号を所定の周波数のサンプリングクロックでサンプリングし、ディジタル映像信号に変換するＡ／Ｄ変換手段と、上記ディジタル映像信号から上記入力映像信号の０または１を判定するためのスライスレベルを算出するスライスレベル算出手段と、上記ディジタル映像信号を上記スライスレベルを用いて２値化信号に変換する２値化手段と、上記ディジタル映像信号から上記データ信号を抜き取るための抜き取り間隔値を算出する抜き取り間隔算出手段と、上記ディジタル映像信号と上記スライスレベルとを用いて、上記ディジタル映像信号が上記スライスレベルで交わるゼロ交差点位置を検出するゼロ交差点位置検出手段と、上記ゼロ交差点位置に基づいて上記データ信号の位相ずれ量を算出する位相ずれ量算出手段と、上記位相ずれ量に応じて上記抜き取り間隔値の補正量を算出する補正量算出手段と、上記補正量に応じて上記抜き取り間隔値の補正を行い、抜き取り間隔補正値を算出する抜き取り間隔補正手段と、所定の抜き取り位置を起点として、順番に、上記抜き取り間隔補正値に近い間隔を隔てて位置する上記２値化信号内の上記文字放送信号の位置を算出し、この文字放送信号の位置をデータ抜き取り位置として指定する抜き取りパルスを生成する抜き取りパルス発生手段と、上記抜き取りパルスに基づいて上記２値化信号から上記文字放送信号を抜き取る抜き取り手段とを備えたことより、信号が途中で位相ずれを発生したとき、瞬時に位相ずれ量を算出し、その位相ずれ量に応じて抜き取り間隔値を調整して最適な位置に抜き取りパルスを発生させることができ、その結果、群遅延等により伝送系に歪みを受けた信号に対して回路規模を増大させることなく、高精度にデータを抜き取ることができるデータ信号抜き取り装置を提供可能である。
【０１６２】
また、この発明によれば、上記データ信号抜き取り装置において、上記ディジタル映像信号のクロックランインの期間を検出するＣＲＩ検出手段と、上記クロックランイン期間内の上記入力映像信号のクロックランイン周期を算出し、該算出した周期に基づいて上記入力映像信号の文字放送方式の種別を検出する文字放送方式検出手段とを備え、上記抜き取り間隔算出手段は、上記検出された文字放送方式の種別に応じて上記抜き取り間隔値を算出するようにしたので、欧州のテレテキスト放送だけでなく、ＶＰＳ、ＷＳＳ、日本の文字多重放送、電子プログラミング案内（略して、ＥＰＧ）、米国のクローズドキャプション放送にも対応して抜き取りを行い、全世界の文字放送方式に対応したデータ信号抜き取り装置を実現可能である。
【図面の簡単な説明】
【図１】
本発明の実施の形態１に係るデータ信号抜き取り装置の構成を示すブロック図である。
【図２】
本発明の実施の形態１に係るデータ信号抜き取り装置の動作を説明するためのタイミング図である。
【図３】
本発明の実施の形態２に係るデータ信号抜き取り装置の構成を示すブロック図である。
【図４】
本発明の実施の形態２に係るデータ信号抜き取り装置の動作を説明するためのタイミング図である。
【図５】
本発明の実施の形態３に係るデータ信号抜き取り装置の構成を示すブロック図である。
【図６】
本発明の実施の形態３に係るデータ信号抜き取り装置の動作の主要部を説明するためのフローチャートである。
【図７】
本発明の実施の形態３に係るデータ信号抜き取り装置の動作の抜き取り部を説明するためのフローチャートである。
【図８】
本発明の実施の形態３に係るデータ信号抜き取り装置の動作を説明するための図である。
【図９】
本発明の実施の形態４に係るデータ信号抜き取り装置の構成を示すブロック図である。
【図１０】
本発明の実施の形態４に係るデータ信号抜き取り装置の動作を説明するためのタイミング図である。
【図１１】
本発明の実施の形態５に係るデータ信号抜き取り装置の構成を示すブロック図である。
【図１２】
本発明の実施の形態５に係るデータ信号抜き取り装置の動作を説明するためのタイミング図である。
【図１３】
従来のデータ信号抜き取り装置の構成を示すブロック図である。
【図１４】
従来のデータ信号抜き取り装置を説明するための、文字放送の種別を示す表である。
【符号の説明】
１、３０１、５０１、９０１、１１０１、１３０１  映像信号入力端子
Ｓ１、Ｓ３０１、Ｓ５０１、Ｓ９０１、Ｓ１１０１、Ｓ１３０１  映像信号
２、３０２、５０２、９０２、１１０２、１３０２  Ａ／Ｄ変換器
Ｓ２、Ｓ３０２、Ｓ５０２、Ｓ９０２、Ｓ１１０２、Ｓ１３０２  ディジタル映像信号
３、３０３、５０３、９０３、１１０３、１３０３  ローパスフィルタ
Ｓ３、Ｓ３０３、Ｓ５０３、Ｓ９０３、Ｓ１１０３、Ｓ１３０３  ノイズ除去された信号
４、３０４、５０４、９０４、１１０４、１３０４  同期分離回路
Ｓ４ａ、Ｓ３０４ａ、Ｓ５０４ａ、Ｓ９０４ａ、Ｓ１１０４ａ、Ｓ１３０４ａ  水平同期信号
Ｓ４ｂ、Ｓ３０４ｂ、Ｓ５０４ｂ、Ｓ９０４ｂ、Ｓ１１０４ｂ、Ｓ１３０４ｂ  垂直同期信号
５、３０５、５０５、９０５、１１０５、１３０５  スライスレベル算出回路
Ｓ５、Ｓ３０５、Ｓ５０５、Ｓ９０５、Ｓ１１０５、Ｓ１３０５  スライスレベル
６、３０６、５０６、９０６、１１０６  ＣＲＩ検出回路
Ｓ６、Ｓ３０６、Ｓ５０６、Ｓ９０６、Ｓ１１０６  ＣＲＩ検出信号
７、３０７、５０７、９０７、１１０７  文字放送方式回路
Ｓ７、Ｓ３０７、Ｓ５０７、Ｓ９０７、Ｓ１１０７  文字放送方式信号
９０８  データ補間回路
Ｓ９０８ａ  原信号
Ｓ９０８ｂ  補間信号
８、３０８、５０８、９１０、１１０６、１１０８  ２値化回路
Ｓ８、Ｓ３０８、Ｓ５０８、Ｓ１１０６、Ｓ１１０８  ２値化信号
Ｓ９１０ａ  ２値化原信号
Ｓ９１０ｂ  ２値化補間信号
９、３０９、５０９、９０９、１１０９  抜き取り間隔算出回路
Ｓ９、Ｓ３０９、Ｓ５０９、Ｓ９０９、Ｓ１１０９  抜き取り間隔データ
１０、９１５、１１１０  抜き取り間隔補正回路
Ｓ１０、Ｓ９１５、Ｓ１１１０  抜き取り間隔補正データ
３１０  カウンタ
Ｓ３１０  カウンタ値
５１０  ＣＲＩアドレス算出回路
Ｓ５１０ａ  ＣＲＩスタートアドレス
Ｓ５１０ｂ  ＣＲＩエンドアドレス
５１１  初期アドレス回路
Ｓ５１１  初期アドレス
３１１  カウンタ値取り込み回路
Ｓ３１１  カウンタロードデータ
５１２  ＲＡＭアドレス算出回路
Ｓ５１２  ＲＡＭアドレス
１２、３１５、９１２  ゼロ交差点検出回路
Ｓ１２、Ｓ３１５  ゼロ交差点パルス
１１１２  ゼロ交差点位置検出回路
Ｓ１１１２  ゼロ交差点位置データ
Ｓ９１２  ゼロ交差点データ
５１６  ゼロ交差点アドレス検出回路
Ｓ５１６  ゼロ交差点アドレス
１３、９１３、１１１３  位相ずれ量算出回路
Ｓ１３、Ｓ９１３、Ｓ１１１３  位相ずれ量データ
３１２  演算器
Ｓ３１２  演算データ
５１５  アドレス補正値算出回路
Ｓ５１５  アドレス補正値
１４、９１４、１１１４  補正量算出回路
Ｓ１４、Ｓ９１４、Ｓ１１１４  補正量データ
３１３  比較器
Ｓ３１３  比較パルス
５１３  ＲＡＭアドレス補正回路
Ｓ５１３  ＲＡＭ補正アドレス
１１、３１４、９１７、１１１１  抜き取りパルス生成回路
Ｓ１１、Ｓ３１４、Ｓ９１７、Ｓ１１１１  抜き取りパルス
５１４  ＲＡＭ
Ｓ５１４ａ  ＲＡＭデータ
Ｓ５１４ｂ  シリアルデータ
９１６  データ選択パルス生成回路
Ｓ９１６  データ選択パルス
１５、３１６、９１８、１１０９、１１１５、１３０９  抜き取り回路
Ｓ１５、Ｓ３１６、Ｓ９１８、Ｓ１１０９、Ｓ１１１５、Ｓ１３０９  抜き取りデータ
１１０７  ＰＬＬ
１１０８  コントローラ
９１１  データ選択回路
Ｓ９１１  選択データ
１６、３１７、５１７、９１９、１１１６、１３１０  デコード回路
Ｓ１６、Ｓ３１７、Ｓ５１７、Ｓ９１９、Ｓ１１１６、Ｓ１３１０  デコードデータ
１７、３１８、５１８、９２０、１１１７、１３１１  出力端子
【手続補正２】
【補正対象書類名】図面
【補正対象項目名】図１０
【補正方法】変更
【補正の内容】
【図１０】
2003299042.tif 000001
【手続補正３】
【補正対象書類名】図面
【補正対象項目名】図１２
【補正方法】変更
【補正の内容】
【図１２】
2003299042.tif 000002